(57)【要約】  撮像装置の使用中に例えば静止画撮像モードと動画撮像モードとで設定項目の設定値が自動的に切り替えられるようにすることに応じて適切な表示制御を行う。このために複数の撮像モードによる撮像に関連する設定項目を、複数の撮像モードについての共通設定とするか、撮像モード毎の独立設定とするかに応じて、設定操作画面の表示態様を制御する表示制御部を備えるようにする。この表示制御部は、設定項目が共通設定とされる場合は、複数の撮像モードについて共通する設定操作画面が表示されるように制御し、設定項目が独立設定とされる場合は、各撮像モードについて異なる設定操作画面が表示されるように制御する。
2019187447.tif 000002
【特許請求の範囲】
【請求項１】
撮像に関連する設定項目を、複数の撮像モードについて共通して制御する共通設定とするか、撮像モード毎に独立して制御する独立設定とするかに応じて、設定項目の操作を行う設定操作画面の表示態様を制御する表示制御部を備え、
前記表示制御部は、
設定項目が前記共通設定の場合は、撮像モードによらず、前記複数の撮像モードについて共通する設定操作画面が表示されるように制御し、
設定項目が前記独立設定の場合は、撮像モードに応じて異なる設定操作画面が表示されるように制御する
撮像装置。
【請求項２】
前記表示制御部は、
各設定項目について、前記共通設定とするか前記独立設定とするかを選択できる選択操作画面が表示されるように制御する
請求項１に記載の撮像装置。
【請求項３】
前記表示制御部は、
設定項目を表示する設定メニュー画面において、前記共通設定か前記独立設定かを示す表示が行われるように制御する
請求項１に記載の撮像装置。
【請求項４】
前記表示制御部は、
少なくとも前記独立設定とされている設定項目の設定操作画面を表示させる場合に、対応する撮像モードを区別する表示が行われるように制御する
請求項１に記載の撮像装置。
【請求項５】
前記表示制御部は、
撮像により生成される画面の表示がおこなわれているときに設定項目に関する操作が行われた場合、対象の設定項目が前記共通設定とされているか前記独立設定とされているかにより、前記撮像により生成される画面の表示が異なる表示態様となるようにする制御を行う
請求項１に記載の撮像装置。
【請求項６】
前記表示制御部は、
前記独立設定とされた設定項目について、
当該設定項目についての一の撮像モードの設定操作を指示する操作が、当該一の撮像モードであるときに行われた場合と、
当該設定項目についての一の撮像モードの設定操作を指示する操作が、他の撮像モードであるときに行われた場合とで、
設定操作画面が異なる表示態様となるようにする制御を行う
請求項１に記載の撮像装置。
【請求項７】
前記表示制御部は、
設定メニュー画面として、第１の撮像モードに対応する設定項目を含む第１タブと、第２の撮像モードに対応する設定項目を含む第２タブと、を少なくとも表示させる
請求項１に記載の撮像装置。
【請求項８】
前記表示制御部は、
前記第１タブと前記第２タブの両方に含まれる設定項目の操作が指示された場合において、
当該設定項目が前記共通設定とされている場合は、撮像モードによらず、前記複数の撮像モードについて共通する設定操作画面が表示されるように制御し、
当該設定項目が前記独立設定とされる場合は、撮像モードに応じて異なる設定操作画面が表示されるように制御する
請求項７に記載の撮像装置。
【請求項９】
前記表示制御部は、
少なくとも前記第１タブと前記第２タブの両方に含まれる設定項目であって、前記独立設定とされた設定項目については、
前記第１タブにおける当該設定項目と、前記第２タブにおける当該設定項目に対して、前記第１の撮像モードに対応することと前記第２の撮像モードに対応することを区別する表示を行うようにする
請求項７に記載の撮像装置。
【請求項１０】
前記表示制御部、
少なくとも前記第１タブと前記第２タブの両方に含まれる設定項目であって、前記独立設定とされた設定項目について、
前記第１の撮像モードであるときに前記第２タブにおける当該設定項目が指定された場合と、前記第２の撮像モードであるときに前記第２タブにおける当該設定項目が指定された場合とで、異なる表示態様とする制御を行う
請求項７に記載の撮像装置。
【請求項１１】
前記複数の撮像モードには、静止画撮像モードと動画撮像モードが含まれる
請求項１に記載の撮像装置。
【請求項１２】
前記共通設定と前記独立設定が選択できる設定項目として、撮像により取得される撮像画像に影響を与える設定項目が含まれる
請求項１に記載の撮像装置。
【請求項１３】
前記共通設定と前記独立設定が選択できる設定項目として、撮像により生成される画面の表示に影響を与える設定項目が含まれる
請求項１に記載の撮像装置。
【請求項１４】
前記共通設定と前記独立設定が選択できる設定項目として、撮像操作に関する設定項目が含まれる
請求項１に記載の撮像装置。
【請求項１５】
撮像に関連する設定項目について、複数の撮像モードについて共通して制御する共通設定として記憶するか、撮像モード毎に独立して制御する独立設定として記憶するか、を選択的に実行できる設定管理部を備え、
前記設定管理部は、
操作対象の設定項目について前記共通設定が選択されている場合は、設定変更操作に応じて、前記複数の撮像モードについての共通の設定値の記憶を更新し、
操作対象の設定項目について前記独立設定が選択されている場合は、操作対象の撮像モードについての設定変更操作に応じて、当該操作対象の撮像モードについての設定値の記憶を更新する
撮像装置。
【請求項１６】
撮像に関連する設定項目のうち、複数の撮像モードについて共通して制御する共通設定とされた設定項目については、撮像モードによらず、前記複数の撮像モードについて共通する設定操作画面が表示されるように設定項目の操作を行う設定操作画面の表示態様を制御し、
撮像に関連する設定項目のうち、撮像モード毎に独立して制御する独立設定とされた設定項目については、撮像モードに応じて異なる設定操作画面が表示されるように設定操作画面の表示態様を制御する
撮像装置の表示制御方法。
【請求項１７】
撮像装置における撮像に関連する設定項目のうち、複数の撮像モードについて共通して制御する共通設定とされた設定項目については、撮像モードによらず、前記複数の撮像モードについて共通する設定操作画面が表示されるように設定項目の操作を行う設定操作画面の表示態様を制御する処理と、
撮像に関連する設定項目のうち、撮像モード毎に独立して制御する独立設定とされた設定項目については、撮像モードに応じて異なる設定操作画面が表示されるように設定操作画面の表示態様を制御する処理と、
を情報処理装置に実行させるプログラム。
【発明の詳細な説明】
【技術分野】
【０００１】
本技術は撮像装置、表示制御方法、プログラムに関し、特に撮像に係る各種の設定項目の操作のための技術に関する。
【背景技術】
【０００２】
例えば静止画撮像モードと動画撮像モードなど複数の撮像モードを切り換えて実行できる撮像装置が普及している。このような撮像装置を用いるユーザは、撮像モードに応じて各種の設定を変更することがある。
下記特許文献１には、複数の撮像モードに適した条件を設定することが記載されている。
【先行技術文献】
【特許文献】
【０００３】
【特許文献１】特開２０１６−３２２１４号公報
【発明の概要】
【発明が解決しようとする課題】
【０００４】
本技術では、多様な使用機会やユーザの使用態様に適応できるようにしつつ撮像モード毎の設定変更の手間を解消できるように、適切なユーザインタフェースを提供する。
【課題を解決するための手段】
【０００５】
本技術に係る撮像装置は、撮像に関連する設定項目を、複数の撮像モードについて共通して制御する共通設定とするか、撮像モード毎に独立して制御する独立設定とするかに応じて、設定項目の操作を行う設定操作画面の表示態様を制御する表示制御部を備え、前記表示制御部は、設定項目が前記共通設定の場合は、撮像モードによらず、前記複数の撮像モードについて共通する設定操作画面が表示されるように制御し、設定項目が前記独立設定の場合は、撮像モードに応じて異なる設定操作画面が表示されるように制御する。
即ち撮像装置の各種の設定項目について、複数の撮像モードにおいて共通設定と独立設定を切り換えることができるようにする。その場合に、共通設定の場合には撮像モードによっては設定操作画面の表示態様を変化させない。一方で独立設定の場合は、撮像モードによって設定操作画面の表示態様を変化させる。【０００６】
上記した本技術に係る撮像装置においては、前記表示制御部は、各設定項目について、前記共通設定とするか前記独立設定とするかを選択できる選択操作画面が表示されるように制御することが考えられる。
複数の撮像モードについて共通に存在する設定項目は、共通設定でもよいし独立設定でもよい。そこでそれらの項目を例えば一覧表示などとして表示させ、ユーザが各項目について共通設定と独立設定を選択できるようにする。【０００７】
上記した本技術に係る撮像装置においては、前記表示制御部は、設定項目を表示する設定メニュー画面において、前記共通設定か前記独立設定かを示す表示が行われるように制御することが考えられる。
各種の設定項目がメニュー上に表示される画面において、例えば独立設定とされた設定項目を明示するなどにより、共通設定／独立設定が区別できるようにする。【０００８】
上記した本技術に係る撮像装置においては、前記表示制御部は、少なくとも前記独立設定とされている設定項目の設定操作画面を表示させる場合に、対応する撮像モードを区別する表示が行われるように制御することが考えられる。
例えば第１、第２の撮像モードについて独立設定される設定項目の設定操作画面では、例えば第１の撮像モードに対応する場合は第１の撮像モードを示すアイコン、第２の撮像モードに対応する場合は第２の撮像モードを示すアイコンなどを表示させ、対応する撮像モードを区別できるようにする。或いは、２つの撮像モードの場合は、少なくとも一方（例えば第２の撮像モード）について識別できればよいため、第２の撮像モードに対応する場合にのみ第２の撮像モードを示すアイコンなどを表示させるものとしても、第１の撮像モードと第２の撮像モードとの区別は可能となる。【０００９】
上記した本技術に係る撮像装置においては、前記表示制御部は、撮像により生成される画面の表示がおこなわれているときに設定項目に関する操作が行われた場合、対象の設定項目が前記共通設定とされているか前記独立設定とされているかにより、前記撮像により生成される画面の表示が異なる表示態様となるようにする制御を行うことが考えられる。
撮像により生成される画面（ライブビュー）を表示している状態から、各種の操作により設定項目の設定操作画面を呼び出すことができる。この場合に、指定された設定項目が共通設定か独立設定かに応じて表示態様を変えるようにする。【００１０】
上記した本技術に係る撮像装置においては、前記表示制御部は、前記独立設定とされた設定項目について、当該設定項目についての一の撮像モードの設定操作を指示する操作が、当該一の撮像モードであるときに行われた場合と、当該設定項目についての一の撮像モードの設定操作を指示する操作が、他の撮像モードであるときに行われた場合とで、設定操作画面が異なる表示態様となるようにする制御を行うことが考えられる。
独立設定の設定項目については、そのときの撮像装置に撮像モードに限らず、特定の撮像モードにおける設定変更を行うようにすることもできる。つまり或る設定項目の一の撮像モードに関する設定変更を、一の撮像モードの時点だけでなく他の撮像モードの時点でも行うことができるようにする。この場合に、いずれの撮像モードの時点かにより設定操作画面の表示態様を異なるようにする。【００１１】
上記した本技術に係る撮像装置においては、前記表示制御部は、設定メニュー画面として、第１の撮像モードに対応する設定項目を含む第１タブと、第２の撮像モードに対応する設定項目を含む第２タブと、を少なくとも表示させることが考えられる。
つまり第１の撮像モードに対応する設定項目と、第２の撮像モードに対応する設定項目が、別のタブにより表示されるようにする。【００１２】
上記した本技術に係る撮像装置においては、前記表示制御部は、前記第１タブと前記第２タブの両方に含まれる設定項目の操作が指示された場合において、当該設定項目が前記共通設定とされている場合は、撮像モードによらず、前記複数の撮像モードについて共通する設定操作画面が表示されるように制御し、当該設定項目が前記独立設定とされる場合は、撮像モードに応じて異なる設定操作画面が表示されるように制御することが考えられる。
第１の撮像モードに対応する設定項目と、第２の撮像モードに対応する設定項目として、同じ設定項目が、別のタブに含まれている。選択された設定項目が共通設定の場合は、いずれのタブから設定項目を選択しても、同じ設定操作画面に遷移する。
選択された設定項目が独立設定の場合は、第１タブの設定項目が選択された場合は第１の撮像モードに応じた設定操作画面に遷移し、第２タブの設定項目が選択された場合は第２の撮像モードに応じた設定操作画面に遷移する。【００１３】
上記した本技術に係る撮像装置においては、前記表示制御部は、少なくとも前記第１タブと前記第２タブの両方に含まれる設定項目であって、前記独立設定とされた設定項目については、前記第１タブにおける当該設定項目と、前記第２タブにおける当該設定項目に対して、前記第１の撮像モードに対応することと前記第２の撮像モードに対応することを区別する表示を行うようにすることが考えられる。
例えば第１タブと第２タブの両方又は一方において、その設定項目に対して撮像モードを示すアイコンを提示するなどにより、各タブにおける共通の設定項目が区別されるようにする。【００１４】
上記した本技術に係る撮像装置においては、前記表示制御部は、少なくとも前記第１タブと前記第２タブの両方に含まれる設定項目であって、前記独立設定とされた設定項目について、前記第１の撮像モードであるときに前記第２タブにおける当該設定項目が指定された場合と、前記第２の撮像モードであるときに前記第２タブにおける当該設定項目が指定された場合とで、異なる表示態様とする制御を行うことが考えられる。
複数のタブに含まれることで、独立設定の設定項目については、そのときの撮像装置に撮像モードに限らず、特定の撮像モードにおける設定変更を行うようにできる。そこで、いずれの撮像モードの時点かにより設定操作画面の表示態様を異なるようにする。【００１５】
上記した本技術に係る撮像装置においては、前記複数の撮像モードには、静止画撮像モードと動画撮像モードが含まれることが考えられる。
即ち各種の設定項目については、静止画撮像モードと動画撮像モードにおいて共通設定と独立設定を切り換えることができるようにする。【００１６】
上記した本技術に係る撮像装置においては、前記共通設定と前記独立設定が選択できる設定項目として、撮像により取得される撮像画像に影響を与える設定項目が含まれることが考えられる。
例えば撮像画像に影響を与える設定項目としてはホワイトバランス、シャッタースピード、ＩＳＯ感度などの設定項目がある。【００１７】
上記した本技術に係る撮像装置においては、前記共通設定と前記独立設定が選択できる設定項目として、撮像により生成される画面の表示に影響を与える設定項目が含まれることが考えられる。
例えば撮像画像に表示に影響を与える設定項目としてはゼブラ設定、ピーキングのレベルや色の設定などがある。【００１８】
上記した本技術に係る撮像装置においては、前記共通設定と前記独立設定が選択できる設定項目として、撮像操作に関する設定項目が含まれることが考えられる。
例えば撮像操作に関する設定項目としてはファンクションメニュー設定、カスタムキーのキーアサイン設定などがある。【００１９】
本技術に係る他の撮像装置は、撮像に関連する設定項目について、複数の撮像モードについて共通して制御する共通設定として記憶するか、撮像モード毎に独立して制御する独立設定として記憶するか、を選択的に実行できる設定管理部を備え、前記設定管理部は、操作対象の設定項目について前記共通設定が選択されている場合は、設定変更操作に応じて、前記複数の撮像モードについての共通の設定値の記憶を更新し、操作対象の設定項目について前記独立設定が選択されている場合は、操作対象の撮像モードについての設定変更操作に応じて、当該操作対象の撮像モードについての設定値の記憶を更新する。
例えば初期状態で共通設定としておくことで、設定情報の記憶は特に撮像モードに対応したものとはしない。独立設定とされることに応じて、設定情報は撮像モードに対応した情報として記憶する。【００２０】
本技術に係る撮像装置の表示制御方法は、撮像に関連する設定項目のうち、複数の撮像モードについて共通して制御する共通設定とされた設定項目については、撮像モードによらず、前記複数の撮像モードについて共通する設定操作画面が表示されるように設定項目の操作を行う設定操作画面の表示態様を制御し、撮像に関連する設定項目のうち、撮像モード毎に独立して制御する独立設定とされた設定項目については、撮像モードに応じて異なる設定操作画面が表示されるように設定操作画面の表示態様を制御するものである。
これにより共通設定／独立設定に応じた表示が行われ、ユーザにとってのわかりやすさや操作性を向上させる。
本技術に係るプログラムは、この表示制御方法の制御処理を情報処理装置に実行させるプログラムである。
【発明の効果】
【００２１】
本技術によれば、撮像装置について撮像モードを切り換えて使用するユーザにとって設定変更の手間を解消できるとともに、その設定操作をわかりやすく提供できる。
なお、ここに記載された効果は必ずしも限定されるものではなく、本開示中に記載されたいずれかの効果であってもよい。
【図面の簡単な説明】
【００２２】
【図１】本技術の実施の形態の撮像装置の説明図である。
【図２】実施の形態の撮像装置の内部構成のブロック図である。
【図３】実施の形態の撮像装置の制御部の機能構成の説明図である。
【図４】実施の形態の設定メニュー画面の説明図である。
【図５】実施の形態の動画タブ及びカメラタブからの遷移の説明図である。
【図６】実施の形態の共通設定の場合のホワイトバランス設定操作画面への遷移の説明図である。
【図７】実施の形態の独立設定の場合のホワイトバランス設定操作画面への遷移の説明図である。
【図８】実施の形態の独立設定の場合のホワイトバランス設定操作画面の説明図である。
【図９】実施の形態の共通設定の場合のＦ値／シャッタースピード設定操作画面への遷移の説明図である。
【図１０】実施の形態の独立設定の場合のＦ値／シャッタースピード設定操作画面への遷移の説明図である。
【図１１】実施の形態のラジオボタン画面の説明図である。
【図１２】実施の形態のファンクション画面の説明図である。
【図１３】実施の形態の制御部の表示制御処理のフローチャートである。
【図１４】実施の形態の制御部の表示制御処理のフローチャートである。
【図１５】実施の形態の制御部の設定項目記憶処理のフローチャートである。
【図１６】実施の形態のコンピュータ装置のブロック図である。
【発明を実施するための形態】
【００２３】
以下、実施の形態を次の順序で説明する。
＜１．撮像装置及び周辺装置＞
＜２．撮像装置の構成＞
＜３．設定画面＞
＜４．制御部の処理例＞
＜５．プログラム及びコンピュータ装置への適用＞
＜６．まとめ及び変形例＞
【００２４】
＜１．撮像装置及び周辺装置＞
図１は実施の形態の撮像装置１０の外観例を示している。ここでは撮像装置１０は、いわゆるデジタルスチルカメラとされ、撮像モードを切り換えることで、静止画撮像と動画撮像の両方を実行できるものとする。
なお、本実施の形態では撮像装置１０は、デジタルスチルカメラに限定されず、主に動画撮像に用いられ、静止画撮像も行えるビデオカメラであっても良い。 
【００２５】
撮像装置１０は、筐体１の前方側にレンズ鏡筒４が配置され、又は着脱可能とされる。
撮像装置１０の背面側（使用者側）には、例えば液晶ディスプレイ（ＬＣＤ：Liquid Crystal Display）や有機ＥＬ（Electro-Luminescence）ディスプレイ等のディスプレイデバイスによる表示パネル２が設けられる。
またビューファインダー３として、ＬＣＤや有機ＥＬディスプレイ等を用いて形成された表示部も設けられる。
ユーザは表示パネル２やビューファインダー３により、画像や各種情報を視認することができる。
ここで、本実施の形態では表示パネル２とビューファインダー３の両方が撮像装置１０に設けられていることに限定されず、表示パネル２とビューファインダー３のいずれか一方のみが設けられている場合や、表示パネル２とビューファインダー３の両方またはいずれか一方が着脱可能な構成である撮像装置１０であっても良い。 
【００２６】
撮像装置１０の筐体１上には、各種の操作子が設けられている。
シャッターボタン１０１はシャッター操作や、また半押し状態としてのフォーカス操作に用いられる。
メニューボタン１０２は表示パネル２等にメニュー表示を指示する操作子である。
モードダイヤル１０３は各種の撮像モードの切り換え操作を行う操作子である。本実施の形態では、撮像モードとしては少なくとも静止画撮像モードと動画撮像モードを含むものとする。
コントロールダイヤル１０４は、各種の設定（例えばＦ値（F-number）やシャッタースピードなど）を変更するための操作子である。
ムービーボタン１０５は動画記録を指示する操作子である。
コントロールホイール１０６は回動操作や上下左右の押圧操作により、例えばメニュー上でのカーソル移動、設定値の変更、上下左右選択などを指示する操作子である。
中央ボタン１０７は、コントロールホイール１０６の中央に配置され、例えばカーソルで選択された項目の決定操作などに用いられる操作子である。
再生キー１０８は撮像し記録した静止画や動画等の再生を指示する操作子である。
カスタムキー１０９はユーザが任意に機能を割り付けて使用することのできる操作子である。
ファンクションキー１１０は、登録した機能を呼び出すことができる操作子である。
以上は代表的な操作子のみを示したが、これらの操作子以外にも各種の操作子が設けられる。
【００２７】
このような撮像装置１０は、撮像装置１０の単体でも撮像や再生が可能であるが、他の機器と連携した動作も可能とされる。
例えば図１では情報処理装置２００を例示している。例えばスマートフォン等の携帯型情報機器やパーソナルコンピュータ等の装置である。
撮像装置１０で撮像した静止画や動画は、無線又は有線の通信により情報処理装置２００に転送して表示させることができる。
また情報処理装置２００に操作画面、設定画面等を表示させ、それらの操作情報を撮像装置１０に送信することで、撮像装置１０を遠隔操作することもできる。
【００２８】
ところで撮像装置１０の使用機会として、撮像モードを急遽切り換えて使用するようなケースがある。
例えば静止画撮像を依頼されたカメラマンが、撮像装置１０を１台持って仕事をしているときに、依頼者から動画撮像も依頼されるような場合である。
カメラマンは、この依頼に応じて動画撮像を行うことはできるが、特に撮像モードの切替の際に、各種の設定変更を行うことに手間がかかってしまう。
また、動画撮像と静止画撮像を予め依頼されていたとしても、カメラ１台を持参すればよいことから、１台で撮像モードを切り換えて使用するということも多い。この場合に撮像モードの切替のたびに設定変更することになる。
この場合に対応するために、撮像モード毎に予め設定を登録しておき、撮像モードの切り換えに応じて対応する設定を呼び出すようにすることが考えられる。
ところがその場合、設定の登録操作が煩雑になったり、撮像モードによっては変更設定しない設定についての登録の手間が増えたりする。さらにユーザが、どの撮像モードに関する設定の操作なのか混乱しやすい場合も有り得る。
そこで本実施の形態では、多様な使用機会やユーザの使用態様に適応できるようにしつつ撮像モード毎の設定変更の手間を解消できるように、適切なユーザインタフェースを提供する。
【００２９】
＜２．撮像装置の構成＞
図２に実施の形態の撮像装置１０の内部構成例を示す。
撮像装置１０は、光学系１１、イメージャ１２、光学系駆動部１３、センサ部１４、記憶部１５、通信部１６、デジタル信号処理部２０、制御部３０、操作部３５、表示部３６を有する。
【００３０】
光学系１１は、カバーレンズ、ズームレンズ、フォーカスレンズ等のレンズや絞り機構を備える。この光学系１１により、被写体からの光がイメージャ１２に集光される。
イメージャ１２は、例えば、ＣＣＤ（Charge Coupled Device）型、ＣＭＯＳ（Complementary Metal Oxide Semiconductor）型などの撮像素子を有する。
このイメージャ１２では、撮像素子での光電変換で得た電気信号について、例えばＣＤＳ(Correlated Double Sampling)処理、ＡＧＣ(Automatic Gain Control)処理などを実行し、さらにＡ／Ｄ(Analog/Digital)変換処理を行う。そしてデジタルデータとしての撮像信号を、後段のデジタル信号処理部２０に出力する。
イメージャ１２における撮像素子の電子シャッタースピードは制御部３０によって可変制御される。
【００３１】
光学系駆動部１３は、制御部３０の制御に基づいて、光学系１１におけるフォーカスレンズを駆動し、フォーカス動作を実行する。また光学系駆動部１３は、制御部３０の制御に基づいて、光学系１１における絞り機構を駆動し、露光調整を実行する。さらに光学系駆動部１３は、制御部３０の制御に基づいて、光学系１１におけるズームレンズを駆動し、ズーム動作を実行する。
【００３２】
デジタル信号処理部２０は、例えばＤＳＰ（Digital Signal Processor）等により画像処理プロセッサとして構成される。このデジタル信号処理部２０は、イメージャ１２からのデジタル信号（撮像画像データ）に対して、各種の信号処理を施す。
例えばデジタル信号処理部２０は、前処理部２１、同時化部２２、ＹＣ生成部２３、解像度変換部２４、コーデック部２５、表示データ生成部２６、画像解析部２７、フォーカス処理部２８を備えている。
【００３３】
前処理部２１は、イメージャ１２からの撮像画像データに対して、Ｒ，Ｇ，Ｂの黒レベルを所定のレベルにクランプするクランプ処理や、Ｒ，Ｇ，Ｂの色チャンネル間の補正処理等を施す。
同時化部２２は、各画素についての画像データが、Ｒ，Ｇ，Ｂ全ての色成分を有するようにするデモザイク処理を施す。
ＹＣ生成部２３は、Ｒ，Ｇ，Ｂの画像データから、輝度（Ｙ）信号および色（Ｃ）信号を生成（分離）する。
解像度変換部２４は、各種の信号処理が施された画像データに対して、解像度変換処理を実行する。
コーデック部２５は、解像度変換された画像データについて、例えば記録用や通信用の符号化処理を行う。
【００３４】
表示データ生成部２６は、制御部３０の制御に従って、表示部３６に出力する例えばライブビュー、即ち被写体側の撮像により生成されるリアルタイムのモニタリング画面としての表示データを生成する。
このライブビュー（スルー画ともいう）としての表示データは、基本的には解像度変換部２４で解像度変換された撮像画像データとしての各フレームのデータである。
また表示データ生成部２６は制御部３０の指示に基づいて、各種のガイド用のアイコン等によるガイド画像、キャラクタ画像、メニュー画像等の操作用画像などを、例えばライブビューや所定の背景画像に重畳させる形式で表示させる処理も行う。
【００３５】
画像解析部２７は、例えばＹＣ生成部２３で得られる撮像画像データ（輝度信号／色信号）を対象として、各フレーム単位（又は間欠的なフレーム毎）での画像解析処理を行い、画像内容として被写体種別や主要被写体の検出、構図判定に関する処理、輝度や色の状況を判定する処理などを行う。そしてこれらの解析結果を制御部３０の処理のために提供する。また被写体種別に関して画像解析部２７は、例えば人物の顔検出、身体検出、ペット等の動物の検出などを行うことも可能である。
また画像解析部２７は、人物等の属性検出を行うこともできる。例えば画像解析により検出した顔画像の特徴点を判別して属性を識別し、属性情報を生成する。属性情報は、例えば被写体が大人であるか子供であるかの情報であったり、女性であるか男性であるかの情報である。さらにより詳細な年齢層などの情報も判別するようにしてもよい。
また画像解析部２７は、画像内の水平線、垂直線などのライン検出、色相／彩度／明度の判定など、各種の解析処理を行う。
【００３６】
フォーカス処理部２８は、オートフォーカス動作のために現在のフレーム画像データのフォーカス状態を確認する。例えば画像データの高周波成分エネルギー検出などの手法でフォーカス状態を判定する評価値を求める。オートフォーカスのためには、制御部３０はフォーカス処理部２８からの評価値を確認しながら光学系駆動部１３によるフォーカスレンズ駆動を実行させ、合焦状態に制御する。
【００３７】
なお表示データ生成部２６、画像解析部２７、フォーカス処理部２８のそれぞれは、この図２の例ではデジタル信号処理部２０で実行される機能構成として示しているが、これは一例であり、制御部３０によってこれらの各部の処理が実行されてもよい。
【００３８】
制御部３０は、ＣＰＵ（Central Processing Unit）３１、ＲＯＭ（Read Only Memory）３２、ＲＡＭ（Random Access Memory）３３、フラッシュメモリ３４などを備えたマイクロコンピュータ（演算処理装置）により構成される。
ＣＰＵ３１がＲＯＭ３２やフラッシュメモリ３４等に記憶されたプログラムを実行することで、この撮像装置１０全体を統括的に制御する。
ＲＡＭ３２は、ＣＰＵ３１の各種データ処理の際の作業領域として、データやプログラム等の一時的な格納に用いられる。
ＲＯＭ３２やフラッシュメモリ（不揮発性メモリ）３４は、ＣＰＵ３１が各部を制御するためのＯＳ（Operating System）や、各種動作のためのアプリケーションプログラムや、ファームウエア等の記憶に用いられる。
フラッシュメモリ３４は撮像動作としての各種の信号処理や操作に関する各種の設定項目の設定値の記憶にも用いられる。
【００３９】
このような制御部３０は、デジタル信号処理部２０における各種信号処理の指示、ユーザの操作に応じた撮像動作や記録動作、記録した画像ファイルの再生動作、ズーム、フォーカス、露光調整等のカメラ動作、ユーザインタフェース動作等について、必要各部の動作を制御する。
【００４０】
表示部３６はユーザ（撮像者等）に対して各種表示を行う表示部であり、図１に示したように例えば撮像装置１０の筐体上に形成される表示パネル２やビューファインダー３としてのディスプレイデバイスを有して構成される。
この表示部３６は、表示パネル２やビューファインダー３及びこれらのディスプレイデバイスに表示を実行させる表示ドライバとから成る。
表示ドライバは、制御部３０の指示に基づいて、ディスプレイデバイス上に各種表示を実行させる。例えば表示ドライバは、撮像して記録媒体に記録した静止画や動画を再生表示させたり、表示データ生成部２６からの表示データによるライブビュー画像をディスプレイデバイスの画面上に表示させる。また表示ドライバは各種操作メニュー、アイコン、メッセージ、ガイド表示等、即ちＧＵＩ（Graphical User Interface）としての表示を画面上に実行させる。
【００４１】
操作部３５は、ユーザの操作を入力する入力機能を有し、入力された操作に応じた信号を制御部３０へ送る。
この操作部３５としては、例えば図１で説明したように撮像装置１０の筐体上に設けられた各種操作子（シャッターボタン１０１、メニューボタン１０２等）や、表示部３６に形成されたタッチパネルなどとして実現される。
またタッチパネルと表示部３６に表示させるアイコンやメニュー等を用いたタッチパネル操作により、各種の操作が可能とされてもよい。
【００４２】
記憶部１５は、例えば不揮発性メモリからなり、静止画データや動画データ等の画像ファイル（コンテンツファイル）や、画像ファイルの属性情報、サムネイル画像等を記憶する記憶領域として機能する。
画像ファイルは、例えばＪＰＥＧ（Joint Photographic Experts Group）、ＴＩＦＦ（Tagged Image File Format）、ＧＩＦ（Graphics Interchange Format）等の形式で記憶される。
記憶部１５の実際の形態は多様に考えられる。例えば記憶部１５は、撮像装置１０に内蔵されるフラッシュメモリでもよいし、撮像装置１０に着脱できるメモリカード（例えば可搬型のフラッシュメモリ）と該メモリカードに対して記録再生アクセスを行うカード記録再生部による形態でもよい。また撮像装置１０に内蔵されている形態としてＨＤＤ（Hard Disk Drive）などとして実現されることもある。
また、撮像装置１０の各種処理、例えば表示制御や設定情報に関する制御を実行するためのプログラムが記憶部１５に記憶されてもよい。
【００４３】
通信部１６は、外部機器との間のデータ通信やネットワーク通信を有線又は無線で行う。
例えば外部の表示装置、記録装置、再生装置等の間で撮像画像データ（静止画ファイルや動画ファイル）の通信を行う。
また、ネットワーク通信部として、例えばインターネット、ホームネットワーク、ＬＡＮ（Local Area Network）等の各種のネットワークによる通信を行い、ネットワーク上のサーバ、端末等との間で各種データ送受信を行うようにしてもよい。
またＮＦＣ（Near field communication）、Bluetooth（ブルートゥース：登録商標）等としての近距離無線通信により、例えば図１に示した情報処理装置２００との間で通信を行うようにすることもできる。その場合、通信部１６によって情報処理装置２００からの操作情報を受信し、操作情報を制御部３０に供給することもできる。
さらに通信部１６は図示しない赤外線方式や電波方式とされた専用のリモートコントローラに対応する受信部としての構成も備え、リモートコントローラからの操作情報を受信して制御部３０に供給することもできる。
【００４４】
センサ部１４は各種センサを包括的に示している。例えば手ブレ、或いは撮像装置１０の姿勢や移動（パン移動、チルト移動等）等、撮像装置１０の全体の動きを検出するためのジャイロセンサ（角速度センサ）、加速度センサ等が設けられる。
また露光調整等のための外部照度を検出する照度センサ、さらには被写体距離を測定する測距センサが設けられてもよい。
またセンサ部１４として、光学系１１におけるズームレンズの位置を検出するズームレンズ位置センサ、フォーカスレンズの位置を検出するフォーカスレンズ位置センサが設けられる場合もある。
またセンサ部１４として、メカアイリス（絞り機構）の開口量を検出するセンサが設けられる場合もある。
センサ部１４の各種センサは、それぞれ検出した情報を制御部３０に伝達する。制御部３０は、センサ部１４で検出された情報を用いて各種制御を行うことができる。
【００４５】
図３は制御部３０が有する各種機能をブロック化して示したものである。
本実施の形態の場合、制御部３０は、撮像制御部３０ａ、設定管理部３０ｂ、表示制御部３０ｃ、記録再生制御部３０ｄ、通信制御部３０ｅ、入力検知部３０ｆとしての機能を備える。
これらの機能は、マイクロコンピュータとしての制御部３０においてソフトウエアにより実現される機能として実装される。
【００４６】
撮像制御部３０ａは撮像動作を制御する機能として示している。例えば光学系１１におけるレンズ制御や絞り制御、イメージャ１２におけるシャッタースピード制御、デジタル信号処理部２０の各種処理の制御を指示する機能である。
撮像制御部３０ａは、各種の撮像モードにおいて、ユーザ操作や各種の設定項目の設定情報に応じて、これらの制御を行う。
【００４７】
設定管理部３０ｂは、各種の設定情報の記憶管理を行う機能を示している。設定情報については後述するが、例えばＦ値、シャッタースピード、ホワイトバランス等の項目がある。これらのそれぞれの設定項目についてユーザ操作に基づいて設定値を例えばフラッシュメモリ３４に記憶し、撮像制御部３０ａによる実際の制御の際に参照できるようにしている。特に本実施の形態では、各種の設定項目について、複数の撮像モード（例えば静止画撮像モードと動画撮像モード）にかかわらず共通設定とすることと、撮像モード毎の独立設定とすることがユーザ操作によって選択可能とされる。設定管理部３０ｂは、各種の設定項目について、共通設定／独立設定の管理及び独立設定の場合の各種モードに応じた設定値の記憶処理を実行する。
このためユーザが設定変更操作を行った場合、設定管理部３０ｂは、操作対象の設定項目について共通設定が選択されている場合は、設定変更操作に応じて、複数の撮像モードについての共通の設定の記憶を更新する。また設定管理部３０ｂは、操作対象の設定項目について撮像モード毎の独立設定が選択されている場合は、操作対象の撮像モードについての設定変更操作に応じて、当該操作対象の撮像モードについての当該設定項目の設定値の記憶を更新する処理を行う。
【００４８】
表示制御部３０ｃは、デジタル信号処理部２０の表示データ生成部２６を制御して表示部３６での各種の表示動作を実行させる。
例えば表示制御部３０ｃはライブビュー表示、撮像画像の再生表示などを制御する。また表示制御部３０ｃはメニュー表示、アイコン表示などを操作や各種モード、動作状態などに応じて制御する。
本実施の形態においては、表示制御部３０ｃは特に各種の設定項目についての共通設定／独立設定に係る表示制御も実行する。即ち表示制御部３０ｃは、複数の撮像モード（例えば静止画撮像モードと動画撮像モード）による撮像に関連する設定項目を、複数の撮像モードについての共通設定とするか、撮像モード毎の独立設定とするかに応じて、設定操作画面の表示態様を制御する。具体的には表示制御部３０ｃは、設定項目が共通設定とされる場合は、複数の撮像モードについて共通する設定操作画面が表示されるように表示データ生成部２６を制御する。また表示制御部３０ｃは、設定項目が独立設定とされる場合は、各撮像モードについて異なる設定操作画面が表示されるように表示データ生成部２６を制御する。
【００４９】
記録再生制御部３０ｄは記憶部１５における撮像画像データの記録再生を制御する機能である。
通信制御部３０ｅは通信部１６による外部機器との送受信を行うための処理を行う機能である。
入力検知部３０ｆは各種の情報入力を検知する機能である。例えば操作部３５からの操作情報、通信部１６による入力情報、センサ部１４による各種の検出情報を検知する。
【００５０】
なお図３の各機能は、制御部３０が備えるものとしたが、例えば複数のマイクロコンピュータに分散してこれらの機能が設けられても良いし、デジタル信号処理部２０が一部又は全部の機能を備えるようにしてもよい。
【００５１】
＜３．設定画面＞
撮像装置１０における設定画面について説明する。ここでいう設定画面とは、撮像の際の信号処理や操作等に関する各種の設定項目に関連する画面の事であり、少なくとも設定項目の名称の一部や略称をメニュー表示した設定メニュー画面と、選択された設定項目について設定値の確認や設定値の変更の操作を行うための設定操作画面を含む。
そして以下説明する設定メニュー画面や設定操作画面は、制御部３０（表示制御部３０ｃ）の制御に基づいて表示データ生成部２６が必要な表示データを表示部３６に供給することで表示される画面例となる。
【００５２】
撮像装置１０には撮像の際の信号処理や操作等に関する各種の設定項目が用意され、ユーザが任意に設定値を変更できる。
ここで各種の設定項目としては、撮像に関する機能、記録再生に関する機能や通信に関する機能などの所定の機能を制御するための各種パラメータを設定できる項目である。
また、撮像に関する機能としては、撮像により取得される撮像画像に影響を与える機能、撮像により生成される画面（ライブビュー）の表示に影響を与える機能、撮像操作に関する機能やカメラ全般の動作・挙動に関する機能などがあげられる。
各種設定項目としては、具体的には例えば一般に知られているように、Ｆ値、シャッタースピード、ホワイトバランス、手ブレ補正有無等の設定項目である。
図４Ａ、図４Ｂ、図４Ｃは、表示部３６において各種設定項目をユーザに提供する設定メニュー画面の一例を示している。
設定項目は数多くあるため、メニュー内で設定項目をタブＴＢ毎にグループ分けし、タブＴＢを選択することで、該当のグループの設定項目が表示されるようにしている。
例えばタブＴＢとしては、撮像に関する設定項目のタブ、記録再生に関する設定項目のタブ、通信に関する設定項目のタブ、操作に関する設定項目のタブなどが設けられる。
ここでタブＴＢの表示としては後述するが、図４Ａ、図４Ｂ、図４Ｃに例示するような、カメラの外観を模したアイコンのカメラタブ、フィルムの外観を模した動画タブ、再生の外観を模したアイコンの記録再生タブ、カバンの外観を模したアイコンのセットアップタブ、星の外観を模したお気に入りタブを表示することができ、また図示はしていないが、通信の外観を模したアイコンの通信タブなども表示することができる。  
【００５３】
図４Ａ、図４Ｂでは、それらの内、撮像に関する設定項目のタブとしてカメラの外観を模したアイコンに数字の“１”を付したカメラタブ５０、カメラの外観を模したアイコンに数字の“２”を付したカメラタブ６０を例示している。
撮像に関する設定項目として、カメラタブ５０には、「ホワイトバランス」、「ＡＷＢ（オートホワイトバランス）時の優先設定」、「ＤＲＯ／オートＨＤＲ」、「クリエイティブスタイル」、「ピクチャーエフェクト」、「ピクチャープロファイル」という各設定項目を例示している。
同じく撮像に関する設定項目として、カメラタブ６０には、「シャッター方式」、「電子先幕シャッター」、「レンズなしレリーズ」、「メモリカードなしレリーズ」、「手ブレ補正」、「手ブレ補正設定」という各設定項目を例示している。
各設定項目の意味については後述する。
カメラタブ５０及び６０は、それぞれ複数のページＰＧを有し、複数ページにわたって多様な設定項目が掲載されている。
なお、タブの種類の設定やページ区分は多様に考えられる。またページ遷移ではなくスクロール表示とするなど、多数の設定項目を提示するための手法も各種考えられる。図４のようなタブ構成やページ構成は一例に過ぎない。
【００５４】
ユーザは任意の設定項目をカメラタブ５０，６０から選択できる。選択によって、その設定項目の設定操作画面が表示され、設定値を変更できるようになる。
【００５５】
ここに示したカメラタブ５０，６０は、撮像に関する設定項目であるが、これは初期的には、撮像モード（静止画撮像モードと動画撮像モード）にかかわらず共通設定としての設定項目となる。
例えばカメラタブ５０におけるホワイトバランスを「オート」と設定したら、静止画撮像モードの場合も、動画撮像モードの場合も、いずれも「オート」として信号処理が実行される。
このようにホワイトバランスを共通設定のままで使用している場合、ユーザは、例えば動画のときにはホワイトバランスの設定値を「太陽光」としたいような場合、静止画撮像モードから動画撮像モードに切り替えた際に、このカメラタブ５０でのホワイトバランスの設定値を変更する操作を行う必要がある。
【００５６】
もちろんそのような使用を行ってもよいのであるが、特に静止画と動画で厳密に設定を変更したり、多数の設定項目を変更したいユーザにとっては不便が生ずる。
そこで本実施の形態では図４Ｃのようなフィルムの外観を模したアイコンの動画タブ７０を設ける。ここでは動画タブ７０はカメラタブ５０と同様の設定項目が挙げられている例としている。
実際には、動画タブ７０には、従前の撮像装置では例えばカメラタブ５０内に配置されていた動画に関する設定項目や、動画専用の設定項目を配置する。
動画タブ７０も例えば複数のページＰＧを有し、複数ページにわたって多様な設定項目が掲載されている。或いはスクロールによって多数の設定項目が表出するようにしてもよい。
【００５７】
このような動画タブ７０を用意し、ユーザが動画撮像モードでの設定を行う場合は、動画タブ７０を用いれば良いようにする。
例えば、静止画撮像モードについての設定はカメラタブ５０，６０を用いれば良く、動画撮像モードについての設定は動画タブ７０を用いれば良いものとする。
【００５８】
ただし、どのような設定項目を動画と静止画で異なるようにするかはユーザによって異なる。
さらには、動画撮像モードと静止画撮像モードでわざわざ設定を変えたくないユーザもいる。
動画タブ７０が設けられたことによって操作が面倒になったり混乱することを嫌う人もいる。
そこで本実施の形態では、単純にカメラタブ５０，６０と動画タブ７０によって、静止画撮像モードの設定と動画撮像モードの設定が切り分けられるようにするのではなく、設定項目毎に共通設定／独立設定が選択でき、また初期状態は共通設定とし、さらに共通設定の場合は、カメラタブ５０，６０からの設定変更と動画タブ７０からの設定変更が共通に反映されるようにする。
【００５９】
図５で説明する。
まず動画タブ７０は、複数のページＰＧ（ＰＧ１，ＰＧ２・・・）にわたって設定項目が掲載されているが、それぞれが例えばグループ分けされている。例えば撮像モード関連、画質関連、ＡＦ（オートフォーカス）関連などとしてページ分けされている。
その一つのページＰＧとして、操作カスタムとしてのページＰＧ４が設けられ、その中に「動画専用設定項目」という設定項目が設けられる。
この「動画専用設定項目」は、各設定項目について共通設定／独立設定を選択する設定を行う項目である。ユーザがこの「動画専用設定項目」を選択する操作を行うと、制御部３０は、動画独立設定項目画面７１が表示されるように制御する。
制御部３０はこの動画独立設定項目画面７１により、ユーザが、各設定項目について共通設定／独立設定を選択できるようにしている。
【００６０】
動画独立設定項目画面７１には、例えばフォーカスモード、フォーカスエリア、露出補正、ＩＳＯ感度、ホワイトバランスなど、各種の設定項目が一覧表示されるとともに、それぞれの設定項目毎にチェックボックス７２が用意されている。チェックボックス７２にチェックがあると、その設定項目は独立設定が選択されていることになる。
ユーザは各設定項目について任意にチェックボックス７２を操作して、共通設定／独立設定を選択できる。
【００６１】
なお、この動画独立設定項目画面７１には、共通設定／独立設定を選択できる例えば全ての設定項目が提示される。ここで、共通設定／独立設定を選択できる全ての設定項目とは、静止画撮像と動画撮像において共通して設定されうる機能の項目を意味する。
このため独立設定項目画面７１はスクロール又はページ送り等で、多数の設定項目が現れ、チェックボックス７２の操作を行うことができるようにされている。
そして、初期状態では、チェックボックス７２にチェックはされておらず、従って提示された全ての設定項目は共通設定が選択されているものとしている。
但し、動画独立設定項目画面７１では、静止画撮像と動画撮像の両方に関連する設定項目の全てについて共通設定／独立設定を選択できるようにしなくてもよく、一部でも良い。
もちろん動画タブ７０のみに含まれるような、動画撮像にのみに関連する設定項目については、共通設定／独立設定を選択可能とする必要はない。
【００６２】
ここで「ホワイトバランス」を例に挙げて共通設定とされた場合と独立設定とされた場合の画面遷移を説明する。
「ホワイトバランス」の設定項目はカメラタブ５０と動画タブ７０の両方に存在する。従ってユーザは、「ホワイトバランス」を動画タブ７０における画質関連のグループのページＰＧ２において選択することもできるし、カメラタブ５０から選択することもできる。
【００６３】
設定項目「ホワイトバランス」が共通設定とされている場合、ユーザはカメラタブ５０で「ホワイトバランス」を選択した場合でも、或いは動画タブ７０で「ホワイトバランス」を選択した場合でも、表示は図示するようにＷＢ設定操作画面８１に遷移する（「ＷＢ」はホワイトバランス。以下、ホワイトバランスを「ＷＢ」と表記する場合もある）。
このＷＢ設定操作画面８１では、ユーザはホワイトバランスの設定値として、例えば「オート」「太陽光」「日陰」「曇天」「電球」などを選択できる。
ここで選択したホワイトバランスの設定値は、静止画撮像モードでも動画撮像モードでも有効な共通の設定値とされる。
【００６４】
設定項目「ホワイトバランス」が独立設定とされている場合、ユーザがカメラタブ５０で「ホワイトバランス」を選択した場合は、表示はＷＢ設定操作画面８１に遷移する。この場合のＷＢ設定操作画面８１は、静止画撮像モードについての設定操作画面、即ち静止画用ＷＢ設定操作画面８１Ｓとして表示される。
この例ではＷＢ設定操作画面８１と静止画用ＷＢ設定操作画面８１Ｓを同じ表示態様としているが、後述するように静止画用ＷＢ設定操作画面８１Ｓは、ＷＢ設定操作画面８１とは別の表示態様としてもよい。
この静止画用ＷＢ設定操作画面８１Ｓでは、ユーザはホワイトバランスの設定値として、例えば「オート」「太陽光」「日陰」「曇天」「電球」などを選択できるが、ここで選択したホワイトバランスの設定値は、静止画撮像モードにおいて有効な設定値とされる。
一方、ユーザが動画タブ７０において「ホワイトバランス」を選択した場合は、表示は動画用ＷＢ設定操作画面８１Ｍに遷移する。
この動画用ＷＢ設定操作画面８１Ｍでも、ユーザはホワイトバランスの設定値として、例えば「オート」「太陽光」「日陰」「曇天」「電球」などを選択できるが、ここで選択したホワイトバランスの設定値は、動画撮像モードにおいて有効な共通の設定値とされる。
【００６５】
この動画用ＷＢ設定操作画面８１Ｍは、静止画撮像の設定とは独立して動画撮像用に設定される項目であることを示す、フィルムの外観を模したアイコンの動画専用設定アイコン１２０が表示される。つまり共通設定の場合のＷＢ設定操作画面８１とは異なる表示態様とされる。
また動画専用設定アイコン１２０が表示されることで、動画用ＷＢ設定操作画面８１Ｍは静止画用ＷＢ設定操作画面８１Ｓとも異なる表示態様とされる。
これによりユーザは、この画面が、独立設定とされたホワイトバランスについての動画撮像モードにおける設定操作を行う画面であることが認識できるようにしている。
【００６６】
以上のように本実施の形態では、ユーザのカスタマイズの機能として設定項目の独立設定が用意される。
そしてデフォルト状態では従前と同様に静止画の設定と動画の設定が共通となる。
ユーザが、静止画と動画の設定を独立にさせたいとする設定を行った場合は、静止画と動画の設定が独立状態となる。
そして共通設定の状態では、カメラタブ５０，６０と動画タブ７０にある設定項目は同じ設定操作画面への入り口となる。つまり同一の設定項目が２つ存在する状態となる。
独立設定の状態のときは、カメラタブ５０，６０にある設定項目は静止画用の設定項目となり、動画タブ７０にある設定項目は動画用の設定項目となる。
【００６７】
動画タブ７０として動画撮像に必要となる設定項目がまとまっているため、動画の通常撮像においては動画タブ内だけを確認すればよい。
同様に、静止画撮像においては動画タブ７０とは異なるカメラタブ５０，６０を確認すればよく、静止画撮像には不要である動画設定の項目を目にする必要がなくなる。
【００６８】
上記例において各設定項目についてデフォルトで共通設定としたのは一例である。もちろん選択できる設定項目についてはデフォルトで独立設定とされているようにしてもよい。
【００６９】
設定変更操作は以上のような設定メニュー画面からの操作以外にも、ファンクションキー１１０やカスタムキー１０９を用いて行う場合もある。
以下では、それらの場合も含めて、設定変更操作に関する画面遷移の具体例を説明していく。
【００７０】
図６，図７は共通設定／独立設定の各場合において設定項目「ホワイトバランス」についての画面遷移例を示している。
ホワイトバランスの設定に関しては、カメラタブ５０や動画タブ７０が設けられた設定メニュー画面から操作を行うほか、ファンクションキー１１０にホワイトバランスを登録している場合はファンクションキー１１０の操作からＷＢ設定操作画面８１に遷移させることができる。また、カスタムキー１０９にホワイトバランス設定変更操作を登録している場合、カスタムキー１０９の操作によりＷＢ設定操作画面８１を表示させることもできる。
以下のファンクションキー１１０やカスタムキー１０９の操作とは、該当の設定項目に関する登録がされている場合を想定して説明する。
【００７１】
図６ではホワイトバランスが共通設定とされた場合の画面遷移を示している。
設定メニュー画面におけるカメラタブ５０で設定項目「ホワイトバランス」が選択された場合、上述のように表示はＷＢ設定操作画面８１に遷移する。このＷＢ設定操作画面８１は、静止画撮像モード、動画撮像モードに共通のホワイトバランス設定変更を行う画面である。
そしてＷＢ設定操作画面８１は、ライブビュー画像を背景としてホワイトバランス設定変更操作が可能な表示が行われるものとする。
設定メニュー画面における動画タブ７０で設定項目「ホワイトバランス」が選択された場合も、表示は同じくＷＢ設定操作画面８１に遷移する。
【００７２】
撮像装置１０が静止画撮像モードとして動作しているときに、カスタムキー１０９が操作された場合（カスタムキー１０９にホワイトバランス設定変更操作が登録されている場合、以下同じ）、表示は例えば静止画撮像モード画面８２からＷＢ設定操作画面８１に遷移する。
撮像装置１０が動画撮像モードとして動作しているときに、カスタムキー１０９が操作された場合は、表示は例えば動画撮像モード画面８３からＷＢ設定操作画面８１に遷移する。
なお静止画撮像モード画面８２は、静止画撮像モードの状態で例えばライブビュー画像や各種アイコン等が表示されている状態である。
また動画撮像モード画面８３は、動画撮像モードの状態で例えばライブビュー画像や各種アイコン等が表示されている状態である。
また撮像装置１０の現在の撮像モードは、例えばモードダイヤル１０３によって選択されているモードとなる。
【００７３】
撮像装置１０が静止画撮像モード、或いは動画撮像モードのいずれの場合でも、ファンクションキー１１０が操作された場合、ファンクション画面８４が表示される。
ファンクション画面８４は、例えば静止画撮像モード画面８２或いは動画撮像モード画面８３としてのライブビュー画像上に、登録されたファンクション一覧８４Ａが提示されるような画面である。
ここで、ファンクション一覧８４Ａに挙げられた各機能は、カーソルにより選択できる。例えばカーソルがホワイトバランス設定の項目に当たると、その機能名８４Ｂとして例えば「Ｗｈｉｔｅ  Ｂａｌａｎｃｅ」と表示される。決定（エンター）操作が行われると、当該選択されている機能が実行されることになる。
このようにファンクション画面８４でホワイトバランス設定変更操作が選択決定されると、表示はＷＢ設定操作画面８１に遷移する。
【００７４】
以上のように、ユーザは各種操作によりＷＢ設定操作画面８１を表示させることができ、この場合は、共通設定としてホワイトバランス設定変更を行うことができる。
【００７５】
図７ではホワイトバランスが独立設定とされた場合の画面遷移を示している。
設定メニュー画面におけるカメラタブ５０で設定項目「ホワイトバランス」が選択された場合、撮像装置１０が静止画撮像モードとして動作しているときであれば、表示は静止画用ＷＢ設定操作画面８１Ｓに遷移する。
この静止画用ＷＢ設定操作画面８１Ｓは、静止画撮像モードについてのホワイトバランス設定変更を行う画面である。
そして静止画用ＷＢ設定操作画面８１Ｓは、静止画撮像モードでのライブビュー画像を背景としてホワイトバランス設定変更操作が可能な表示が行われるものとする。
【００７６】
設定メニュー画面における動画タブ７０で設定項目「ホワイトバランス」が選択された場合、撮像装置１０が動画撮像モードとして動作しているときであれば、表示は動画用ＷＢ設定操作画面８１Ｍに遷移する。
この動画用ＷＢ設定操作画面８１Ｍは、動画撮像モードについてのホワイトバランス設定変更を行う画面である。
そして動画用ＷＢ設定操作画面８１Ｍは、動画撮像モードでのライブビュー画像を背景としてホワイトバランス設定変更操作が可能な表示が行われるものとする。
【００７７】
撮像装置１０が静止画撮像モードとして動作しているときに、カスタムキー１０９が操作された場合、表示は静止画撮像モード画面８２から静止画用ＷＢ設定操作画面８１Ｓに遷移する。
撮像装置１０が動画撮像モードとして動作しているときに、カスタムキー１０９が操作された場合は、表示は動画撮像モード画面８３から動画用ＷＢ設定操作画面８１Ｍに遷移する。
【００７８】
撮像装置１０が静止画撮像モード、或いは動画撮像モードのいずれの場合でも、ファンクションキー１１０が操作された場合、ファンクション画面８４が表示される。
このファンクション画面８４でホワイトバランス設定変更操作が選択されると、そのとき静止画撮像モードの状態であれば、表示は静止画用ＷＢ設定操作画面８１Ｓに遷移する。
ファンクション画面８４でホワイトバランス設定変更操作が選択されたときが動画撮像モードの状態であれば、表示は動画用ＷＢ設定操作画面８１Ｍに遷移する。
【００７９】
従ってホワイトバランスの設定項目が独立設定とされているときは、ユーザは、カメラタブ５０からホワイトバランスを選択すること、或いは静止画撮像モードのときにカスタムキー１０９を操作すること、さらに或いは静止画撮像モードのときにファンクション画面８４からホワイトバランス設定を選択することで、静止画用ＷＢ設定操作画面８１Ｓを導いて静止画撮像モードについてのホワイトバランス設定変更を行うことができる。
またユーザは、動画タブ７０からホワイトバランスを選択すること、或いは動画撮像モードのときにカスタムキー１０９を操作すること、さらに或いは動画撮像モードのときにファンクション画面８４からホワイトバランス設定を選択することで、動画用ＷＢ設定操作画面８１Ｍを導いて動画撮像モードについてのホワイトバランス設定変更を行うことができる。
【００８０】
さらに本実施の形態では、カメラタブ５０と動画タブ７０が設けられていることで、そのときの撮像モードにかかわらず他の撮像モードのホワイトバランス設定が可能となる。
【００８１】
即ち動画撮像モードのときに、カメラタブ５０のホワイトバランスを選択することが可能である。この場合、表示は静止画用ＷＢ設定操作画面８１ＳＢに遷移する。
静止画用ＷＢ設定操作画面８１ＳＢは、背景は例えばライブビュー画像ではなく、黒バック等とする。さらに、例えば画面中央に比較的大きく、静止画（風景）を模したアイコンである静止画専用設定アイコン１２３を表示する。
このように通常の静止画用ＷＢ設定操作画面８１Ｓと異なる表示態様とすることで、ユーザに対して、現在は動画撮像モードだけれども静止画撮像モードのホワイトバランス設定の画面を提示していることを明確に伝えるようにしている。これによりユーザが操作に混乱してしまうことを防止する。
特にライブビュー画像をなくすことで、現在の撮像モードとは異なる撮像モードについての操作画面であることを効果的にユーザにアピールできる。
【００８２】
また、静止画撮像モードのときに、動画タブ７０のホワイトバランスを選択することが可能である。この場合、表示は動画用ＷＢ設定操作画面８１ＭＢに遷移する。
動画用ＷＢ設定操作画面８１ＭＢは、背景は例えばライブビュー画像ではなく、黒バック等とする。さらに、例えば画面中央に比較的大きく、フィルムを模したアイコンである動画専用設定アイコン１２２を表示する。
このように通常の動画用ＷＢ設定操作画面８１Ｍと異なる表示態様とすることで、ユーザに対して、現在は静止画撮像モードだけれども動画撮像モードのホワイトバランス設定の画面を提示していることを明確に伝えるようにしている。これによりユーザが操作に混乱してしまうことを防止する。この場合も先と同様、特にライブビュー画像をなくすことで、現在の撮像モードとは異なる撮像モードについての操作画面であることを効果的にユーザにアピールできる。
【００８３】
以上の例から理解されるように、或る設定項目が独立設定とされた場合、次のように設定変更の操作が可能になる。
或る設定項目についての静止画撮像モードについての設定変更操作は、
・撮像モードに関わらず、カメラタブ５０（又は６０）からの設定項目の選択
・静止画撮像モードの際のカスタムキー１０９の操作
・静止画撮像モードの際のファンクション画面８４からの操作
により可能とされる。
また或る設定項目についての動画撮像モードについての設定変更操作は、
・撮像モードに関わらず、動画タブ７０からの設定項目の選択
・動画撮像モードの際のカスタムキー１０９の操作
・動画撮像モードの際のファンクション画面８４からの操作
により可能とされる。
【００８４】
ところで図７の例では、ホワイトバランスが独立設定とされている場合、動画タブ７０において、設定項目「ホワイトバランス」に対して動画専用設定アイコン１２０を表示する例を示している。
このように動画タブ７０内の設定項目については、独立設定とされた場合に動画専用設定アイコン１２０を併記するように表示を行うことで、動画タブ７０内において、独立設定とされている設定項目と共通設定とされている設定項目とを、ユーザが明確に区別できるようにすることができる。これもユーザの操作の理解を高め、操作の混乱を防ぐ意味で有効である。
また独立設定とされた設定項目は共通設定の場合（図６参照）とは異なる表示態様となることで独立設定であること自体もユーザが認識しやすいものとなる。
【００８５】
またこの図７の例では、カメラタブ５０側では、設定項目「ホワイトバランス」に対して特にアイコンを表示していない。
即ち図７の例では、独立設定とされた設定項目については、カメラタブ５０内での表示と動画タブ７０内での表示の表示態様を異なるものとしている。つまり動画専用設定アイコン１２０の有無が異なる。
これによってカメラタブ５０からの操作と、動画タブ７０からの操作が、その内容が異なる（静止画撮像モード用か動画撮像モード用かの違い）ことを、ユーザが認識しやすいものとなる。
【００８６】
図８は、図７と同様の、独立設定とされたホワイトバランス設定についての画面遷移における、アイコン表示に関する変形例を示している。
図８では、カメラタブ５０における設定項目「ホワイトバランス」に対して動画撮像の設定とは独立して静止画撮像用に設定される項目であることを示す、静止画（風景）を模したアイコンである静止画専用設定アイコン１２１を表示する例を示している。動画タブ７０においては設定項目「ホワイトバランス」に対して動画専用設定アイコン１２０を表示する。
このようにカメラタブ５０と動画タブ７０の両方において、独立設定とされた設定項目については、静止画専用設定アイコン１２１又は動画専用設定アイコン１２０を表示するようにすることで、カメラタブ５０内、或いは動画タブ７０内での各設定項目について、共通設定／独立設定をユーザが区別しやすくなる。
また、本実施の形態では、異なる表示態様としてはアイコン（動画専用設定アイコン１２０、１２２、静止画専用設定アイコン１２１、１２３）や背景画像（例えばライブビュー画像や黒バック等）を例に挙げたが、これに限定されず、例えば共通設定／独立設定のいずれかに応じて、設定項目のフォントのサイズ、色を変更したり、ハイライト表示、点滅表示などをしたりしても良い。更に、各種のアイコンやキャラクタ画像の付加、画面の色合い、ぼかしなどの画像効果など、多様に想定される。
またカメラタブ５０と動画タブ７０のいずれの場合も、独立設定とされた設定項目は共通設定の場合とは異なる表示態様となることで、独立設定であること自体をユーザが認識しやすいものとなる。
また独立設定とされた設定項目については、静止画専用設定アイコン１２１と動画専用設定アイコン１２０により、カメラタブ５０内での表示と動画タブ７０内での表示の表示態様が異なるため、カメラタブ５０からの操作と、動画タブ７０からの操作が、その内容が異なる（静止画撮像モード用か動画撮像モード用かの違い）ことを、ユーザが認識しやすいものとなる。
【００８７】
図７の例においては、動画用ＷＢ設定操作画面８１Ｍではホワイトバランスの表記の横に動画専用設定アイコン１２０を表示している。
一方、静止画用ＷＢ設定操作画面８１Ｓは、ホワイトバランスの表記の横には特にアイコン表示は行っていない。
このように静止画用ＷＢ設定操作画面８１Ｓと動画用ＷＢ設定操作画面８１Ｍとで表示態様を異ならせることで、静止画撮像モードについての設定変更操作か動画撮像モードについての設定変更操作かを、ユーザが認識しやすいものとしている。
また動画専用設定アイコン１２０により、図６の共通設定の場合のＷＢ設定操作画面８１とは異なる表示態様となることで、設定変更操作を行っているのが共通設定の設定項目か、独立設定の設定項目かをユーザが認識しやすい。
【００８８】
これについても図８のような例が考えられる。
図８の例では、動画用ＷＢ設定操作画面８１Ｍではホワイトバランスの表記の横に動画専用設定アイコン１２０を表示し、静止画用ＷＢ設定操作画面８１Ｓではホワイトバランスの表記の横には静止画専用設定アイコン１２１を表示している。
このように静止画用ＷＢ設定操作画面８１Ｓと動画用ＷＢ設定操作画面８１Ｍとで表示態様を異ならせることで、静止画撮像モードについての設定変更操作か動画撮像モードについての設定変更操作かを、ユーザが認識しやすいものとしている。
また動画用ＷＢ設定操作画面８１Ｍ、静止画用ＷＢ設定操作画面８１Ｓとも、動画専用設定アイコン１２０、静止画専用設定アイコン１２１により、図６の共通設定の場合のＷＢ設定操作画面８１とは異なる表示態様となることで、設定変更操作を行っているのが共通設定の設定項目か、独立設定の設定項目かをユーザが認識しやすいものとなる。
【００８９】
以上の動画用ＷＢ設定操作画面８１Ｍ、静止画用ＷＢ設定操作画面８１Ｓにおける動画専用設定アイコン１２０、静止画専用設定アイコン１２１の表示態様については、図７，図８のように動画用ＷＢ設定操作画面８１ＭＢ、静止画用ＷＢ設定操作画面８１ＳＢについても適用できる。
【００９０】
次に、設定メニュー画面には設けられない設定項目の場合を図９で説明する。
説明上、仮に「Ｆ値」及び「シャッタースピード」については、上述のカメラタブ５０や動画タブ７０に含まれていないこととし、これらはカスタムキー１０９やファンクションキー１１０を用いて設定変更操作を行うものとする。
なお設定メニュー画面（カメラタブ５０、６０や動画タブ７０）に挙げられていない設定項目についても、図５に示した動画独立設定項目画面７１で共通設定／独立設定を選択できるようにすることが望ましい。
【００９１】
図９はＦ値及びシャッタースピードの設定項目が共通設定とされている場合である。
撮像装置１０が静止画撮像モードとして動作しているときに、カスタムキー１０９が操作された場合（カスタムキー１０９にＦ値及びシャッタースピード設定変更操作が登録されている場合、以下同じ）、表示は例えば静止画撮像モード画面８２からＦ値／シャッタースピード設定操作画面８５に遷移する。
また撮像装置１０が動画撮像モードとして動作しているときに、カスタムキー１０９が操作された場合は、表示は例えば動画撮像モード画面８３からＦ値／シャッタースピード設定操作画面８５に遷移する。
【００９２】
Ｆ値／シャッタースピード設定操作画面８５は、例えば静止画撮像モード画面８２又は動画撮像モード画面８３と同じく、例えばライブビュー画像が表示され、その上に設定操作用の画像が表示される画面である。
この場合、現在Ｆ値８６、現在シャッタースピード値８７が表示される。変更目的としてＦ値が選択されている場合、現在Ｆ値８６の表示が、例えばハイライト表示や表示色変更により、現在シャッタースピード値８７よりも目立たされる。そして可変バー８８にＦ値の変更値が表示される。例えば可変バー８８にはダイヤル操作に応じてＦ値が増減するようにスクロールされる。
シャッタースピードが変更目的とされる場合は、現在シャッタースピード値８７が目立つようにされ、可変バー８８にはダイヤル操作に応じてシャッタースピードの値が増減するように表示される。
このようなＦ値／シャッタースピード設定操作画面８５は、静止画撮像モード、動画撮像モードに共通のＦ値又はシャッタースピードの設定変更を行う画面である。
【００９３】
撮像装置１０が静止画撮像モード、或いは動画撮像モードのいずれの場合でも、ファンクションキー１１０が操作された場合、ファンクション画面８４が表示される。
このファンクション画面８４でＦ値／シャッタースピード設定変更操作が選択決定されると、表示はＦ値／シャッタースピード設定操作画面８５に遷移する。
【００９４】
以上のように、ユーザはカスタムキー１０９やファンクションキー１１０の操作によりＦ値／シャッタースピード設定操作画面８５を表示させることができ、この場合は、共通設定としてＦ値やシャッタースピードの設定変更を行うことができる。
【００９５】
図１０ではＦ値／シャッタースピードが独立設定とされた場合の画面遷移を示している。
撮像装置１０が静止画撮像モードとして動作しているときに、カスタムキー１０９が操作された場合、表示は静止画撮像モード画面８２から静止画用Ｆ値／シャッタースピード設定操作画面８５Ｓに遷移する。
この静止画用Ｆ値／シャッタースピード設定操作画面８５Ｓは、静止画撮像モードについてのＦ値やシャッタースピードの設定変更を行う画面である。
そして静止画用Ｆ値／シャッタースピード設定操作画面８５Ｓは、静止画撮像モードでのライブビュー画像を背景としてＦ値やシャッタースピードの設定変更操作が可能な表示が行われる。
【００９６】
撮像装置１０が動画撮像モードとして動作しているときに、カスタムキー１０９が操作された場合は、表示は動画撮像モード画面８３から動画用Ｆ値／シャッタースピード設定操作画面８５Ｍに遷移する。
この動画用Ｆ値／シャッタースピード設定操作画面８５Ｍは、動画撮像モードについてのＦ値やシャッタースピードの設定変更を行う画面である。
そして動画用Ｆ値／シャッタースピード設定操作画面８５Ｍは、動画撮像モードでのライブビュー画像を背景としてＦ値やシャッタースピードの設定変更操作が可能な表示が行われる。
この動画用Ｆ値／シャッタースピード設定操作画面８５Ｍの場合も、動画専用設定アイコン１２０が表示されることで、ユーザが静止画用Ｆ値／シャッタースピード設定操作画面８５Ｓと区別できるようにしている。
【００９７】
撮像装置１０が静止画撮像モード、或いは動画撮像モードのいずれの場合でも、ファンクションキー１１０が操作された場合、ファンクション画面８４が表示される。
このファンクション画面８４でＦ値／シャッタースピード設定変更操作が選択されると、そのとき静止画撮像モードの状態であれば、表示は静止画用Ｆ値／シャッタースピード設定操作画面８５Ｓに遷移する。
ファンクション画面８４でＦ値／シャッタースピード設定変更操作が選択されたときが動画撮像モードの状態であれば、表示は動画用Ｆ値／シャッタースピード設定操作画面８５Ｍに遷移する。
【００９８】
以上のように、設定メニュー画面に含まれていない設定項目についても、共通設定／独立設定に応じて画面遷移が行われ、共通設定／独立設定に応じた設定変更が可能となる。
なお、ここではカスタムキー１０９とファンクションキー１１０の場合を述べたが、たとえばファンクションキー１１０による機能としては、このような設定変更が行われない場合も考えられる。
もちろんファンクションキー１１０が設けられない場合、或いはカスタムキー１０９が設けられない場合も考えられるが、所定の操作により同様に共通設定／独立設定に応じた画面遷移が行われるようにすれば良い。
【００９９】
次に図１１は、設定メニュー画面から設定操作画面に移行した場合の例を示している。ここでは「ＡＰＳ−Ｃ／Ｓｕｐｅｒ  ３５ｍｍ」という設定項目を例に挙げる。
例えばカメラタブ５０や動画タブ７０によって、この設定項目が選択され、設定操作画面８９が表示される場合などである。
当該設定項目が共通設定とされている場合は、図１１Ａの設定操作画面８９が表示され、設定値として「入」「オート」「切」を選択できる。
【０１００】
当該設定項目が独立設定とされ、動画タブ７０から選択された場合は、図１１Ｂの動画用設定操作画面８９Ｍが表示され、動画撮像モードについての設定値として「入」「オート」「切」を選択できる。
この動画用設定操作画面８９Ｍでは、「ＡＰＳ−Ｃ／Ｓｕｐｅｒ  ３５ｍｍ」という設定項目名の横に動画専用設定アイコン１２０が表示される。
【０１０１】
また当該設定項目が独立設定とされ、カメラタブ５０から選択された場合は、図１１Ａの静止画用設定操作画面８９Ｓが表示され、静止画撮像モードについての設定値として「入」「オート」「切」を選択できる。
なお、ここでは共通設定とされている場合の設定操作画面８９と、静止画用設定操作画面８９Ｓを同じ表示態様としたが、静止画用ＷＢ設定操作画面８１Ｓの場合は静止画専用設定アイコン１２１を表示させるようにしてもよい。
【０１０２】
少なくとも動画専用設定アイコン１２０により（又は動画専用設定アイコン１２０と静止画専用設定アイコン１２１の両方により）、表示態様を異なるようにすることで、各場合においてユーザが共通設定／独立設定の別を把握しやすいものとなる。
【０１０３】
図１２は、上述のファンクション画面８４におけるアイコン表示の例を示している。
図１２Ａは、例えばホワイトバランスが共通設定の場合のファンクション画面８４の表示例であり、図１２Ｂはホワイトバランス設定が独立設定で現在、動画撮像モードであるときのファンクション画面８４の表示例である。
なお、ホワイトバランス設定が独立設定で現在、静止画撮像モードであるときのファンクション画面８４の表示例としては図１２Ａ又は図１２Ｃの表示例が考えられる。
【０１０４】
共通設定もしくは独立設定で静止画撮像モードであるときは図１２Ａの表示とし、独立設定で動画撮像モードのときは図１２Ｂの表示とすることで、ファンクション画面８４でも動画独立設定をユーザに認識させやすい。また独立設定とされた設定項目について静止画用の設定か動画用の設定かをユーザに認識させやすい。
【０１０５】
共通設定であるときは図１２Ａの表示とし、独立設定で動画撮像モードのときは図１２Ｂの表示とし、独立設定で静止画撮像モードであるときは図１２Ｃの表示とすることで、ファンクション画面８４でも共通設定／独立設定をユーザに認識させやすい。また独立設定とされた設定項目について静止画用の設定か動画用の設定かをユーザに認識させやすいことになる。
【０１０６】
以上各種の例で画面遷移や表示態様の例を説明してきたが、これらは各種の設定項目について適用できる。
以下では、共通設定／独立設定を選択できる設定項目の例を挙げる。
【０１０７】
共通設定／独立設定を選択できるようにする設定項目として、まず、撮像により取得される撮像画像に影響を与える設定が考えられる。即ち画像の見た目に影響する設定項目である。例えば次のような設定項目が該当する。
【０１０８】
・シャッタースピード
・Ｆ値
・フォーカスモード
・フォーカスエリア
・露出補正
・ＩＳＯ感度
・測光モード
・ホワイトバランス
・ＤＲＯ／オートＨＤＲ
・クリエイティブスタイル
・ピクチャーエフェクト
・ピクチャープロファイル
・ＡＰＳ−Ｃ／Ｓｕｐｅｒ  ３５ｍｍ
・フォーカスセット
【０１０９】
「シャッタースピード」はシャッタースピードを選択する設定項目である。選択対象としては光学系１１におけるメカニカルシャッターのシャッタースピード、イメージャ１２の制御による電子シャッタースピードの両方が考えられる。
「Ｆ値」はＦ値を選択する設定項目である。
「フォーカスモード」はピント合わせの方法であり、オートフォーカス、マニュアルフォーカスであったり、オートフォーカスの手法を選択する設定項目である。
「フォーカスエリア」はピント合わせの位置を選ぶ設定項目である。例えば“ワイド”“フレキシブルスポット”などが選択できる。
「露出補正」は画像全体の明るさを補正する場合の設定項目である。
「ＩＳＯ感度」はＩＳＯ感度として“ＩＳＯ”“Ａｕｔｏ”等を選択する設定項目である。
「測光モード」は明るさを測る方法として“マルチ”“スポット”等を選ぶ設定項目である。
「ホワイトバランス」は撮影場所の光の状況に合わせて、白いものを白に近い色に調整する処理についての設定で“オート”“太陽光”等を選択できる設定項目である。
「ＤＲＯ／オートＨＤＲ」は、被写体や背景の明暗の差を細かな領域に分けて分析し、最適な明るさと階調の画像にする処理についての設定項目である。
「クリエイティブスタイル」は、好みの画像の仕上がりを選んだり、コントラスト、彩度、シャープネスの調整ができる設定項目である。
「ピクチャーエフェクト」は、好みの効果を使って、より印象的でアーティスティックな表現の画像を撮像するために選択する設定項目である。
「ピクチャープロファイル」は、撮像する画像の発色、階調などの設定を細かく変更できる設定項目である。
「ＡＰＳ−Ｃ／Ｓｕｐｅｒ  ３５ｍｍ」は、静止画撮像時はＡＰＳ−Ｃサイズ相当、動画撮像時はＳｕｐｅｒ  ３５ｍｍ相当のサイズで記録するかどうかを設定する設定項目である。
「フォーカスセット」は、前ダイヤル、後ダイヤル、コントロールホイールを使ってピント合わせを行う機能についての設定項目である。
【０１１０】
また共通設定／独立設定を選択できるようにする設定項目として、撮像により生成される画面（ライブビュー）の表示に影響を与える設定（撮像補助に関する設定）としての設定項目が考えられる。例えば次のような設定項目が該当する。
【０１１１】
・顔検出
・ゼブラ
・ピーキングレベル
・ピーキング色
【０１１２】
「顔検出」は、カメラが人物の顔を判別し、人物にあわせて、ピントや露出、画像処理、フラッシュの調整をする機能についての設定項目である。
「ゼブラ」は、明るさ調整の目安になる縞表示を設定する設定項目である。
「ピーキングレベル」は、マニュアルフォーカス撮像のときに、ピントが合った部分の輪郭を指定された色で強調表示する設定のための設定項目である。
「ピーキング色」は、輪郭を強調表示するピーキング表示の色を設定する設定項目である。
【０１１３】
また共通設定／独立設定を選択できるようにする設定項目として、撮像操作に関する設定（キーアサイン）としての設定項目が考えられる。例えば次のような設定項目が該当する。
【０１１４】
・ファンクションメニュー設定
・カスタムキー（撮像）
・ダイヤル／ホイールの設定
・ダイヤル／ホイール露出補正
【０１１５】
「ファンクションメニュー設定」は、ファンクションキー１１０の操作により表示されるファンクション画面８４の機能設定に関する設定項目である。
「カスタムキー」は、カスタムキー１０９を用いる場合の撮像に関する操作設定の設定項目である。あらかじめカスタムキー１０９に機能を設定しておくと、撮像時にキーを押すだけで設定しておいた機能を実行できるが、その設定に関する。
「ダイヤル／ホイールの設定」はコントロールダイヤル１０４の操作内容のアサインについての設定項目である。例えばシャッタースピードと絞り値のどちらをアサインするかを設定する。
「ダイヤル／ホイール露出補正」は、いずれかのダイヤルで露出補正ができるようにする設定項目である。
【０１１６】
また共通設定／独立設定を選択できるようにする設定項目として、カメラ全般の動作・挙動に関する設定項目が考えられる。例えば次のような設定項目が該当する。
【０１１７】
・ＦＩＮＤＥＲ／ＭＯＮＩＴＯＲ
・ＤＩＳＰボタン
・露出値ステップ幅
・手ブレ補正
・ズーム設定
・ピント拡大期間
・レンズ補正
・グリッドライン
・露出補正値のリセット
・スポット測光位置
・露出基準調整
・ＡＷＢ時の優先設定
・手ブレ補正設定
【０１１８】
「ＦＩＮＤＥＲ／ＭＯＮＩＴＯＲ」は、ビューファインダー３と表示パネル２の表示切り換え方法を設定する設定項目である。
「ＤＩＳＰボタン」は、所定のディスプレイボタンを押したときにビューファインダー３や表示パネル２に表示する内容を設定する設定項目である。
「露出値ステップ幅」は、シャッタースピード、絞り値、露出補正値の設定幅を設定する設定項目である。
「手ブレ補正」は、撮像時の手ブレ補正を設定する設定項目である。
「ズーム設定」は、全画素超解像ズーム、デジタルズームを使用するかどうか設定する設定項目である。
「ピント拡大期間」は、撮像前の画像を拡大してピントの確認する場合の拡大表示する時間を設定する設定項目である。
「レンズ補正」は、レンズ補正の種類を選ぶ設定項目である。
「グリッドライン」は、構図を合わせるための線を表示する設定項目である。
「露出補正値のリセット」は、露出補正ダイヤルが「０」の状態で電源を切ったとき、露出補正で設定した値を保持するかどうかを設定する設定項目である。
「スポット測光位置」はフォーカスエリアの設定が“フレキシブルスポット”または“拡張フレキシブルスポット”のときに、スポット測光位置をフォーカスエリアに連動させるかどうかを設定する設定項目である。
「露出基準調整」は、カメラの適正露出値の基準を、測光モードごとに調整することができる設定項目である。
「ＡＷＢ時の優先設定」は、ホワイトバランスが“オート”のとき、白熱電球などの光源下で優先する色味を設定する設定項目である。
「手ブレ補正設定」は、手ブレ補正の設定をする設定項目である。
【０１１９】
以上、共通設定／独立設定を選択できる設定項目の例を挙げたが、もちろんこれらに限られない。
また、これらの全てが共通設定／独立設定を選択できるものとする必要はない。
【０１２０】
＜４．制御部の処理例＞
上述した共通設定／独立設定に応じた表示制御や、設定変更操作に応じた設定管理処理として制御部３０が実行する処理例を図１３，図１４，図１５により説明する。以下説明する処理例は、図２のハードウエア構成を持つ制御部３０が、ソフトウエアにより図３の機能構成、特に設定管理部３０ｂ、表示制御部３０ｃを有することで実現される処理例である。
【０１２１】
図１３、図１４、図１５は、ユーザが設定メニュー画面（カメラタブ５０、６０や動画タブ７０）を用いた操作、又はカスタムキー１０９やファンクションキー１１０を用いた操作により、何らかの設定項目について設定変更の操作を行う場合の制御部３０の処理を示している。
【０１２２】
設定項目についての選択操作が検知されたら、制御部３０は図１３のステップＳ１０１からＳ１０２に進み、まずその設定項目が共通設定とされているか独立設定とされているかを確認する。
共通設定とされている場合は、制御部３０は、ステップＳ１０３，Ｓ１０４，Ｓ１０５，Ｓ１０６，Ｓ１０７で、設定項目の選択操作がどのように行われたかを判定する。
ステップＳ１０３では制御部３０は、設定項目の選択操作がキー操作（カスタムキー１０９の操作）によるものか否かを確認する。
ステップＳ１０４では制御部３０は、設定項目の選択操作がファンクションキー１１０によるファンクション画面８４からの操作によるものか否かを確認する。
ステップＳ１０５では制御部３０は、設定項目の選択操作が設定メニュー画面上の操作によるものか否かを確認する。
メニュー操作であった場合は、制御部３０はステップＳ１０６，Ｓ１０７で、カメラタブ５０、６０での操作によるものか、動画タブ７０での操作によるものかを判別する。
以上のいずれの操作にも該当しない場合は、何らかのエラーとする。
【０１２３】
選択された設定項目が以上のいずれの操作によるものであっても、共通設定とされている場合は、制御部３０はステップＳ１０８に進む。そして静止画、動画に共通の設定操作画面を表示する。例えば図示するＷＢ設定操作画面８１や、上述のＦ値／シャッタースピード設定操作画面８５等の設定操作画面である。
またこの場合、背景にはライブビュー画像を表示させる。
なお、共通設定とされている場合は、いずれの操作による場合もステップＳ１０８に進むため、ステップＳ１０３〜Ｓ１０７の処理は必ずしも必要ではない。
【０１２４】
ステップＳ１０２で対象の設定項目が独立設定とされたものであると確認した場合、制御部３０は図１４のステップＳ１１０，Ｓ１１１，Ｓ１１２，Ｓ１１３，Ｓ１１４で、設定項目の選択操作がどのように行われたかを判定する。
ステップＳ１１０では制御部３０は、設定項目の選択操作がキー操作（カスタムキー１０９の操作）によるものか否かを確認する。
カスタムキー１０９の操作であった場合はステップＳ１１５、Ｓ１１６で、現在は静止画撮像モードであるか動画撮像モードであるのかを確認して処理を分岐する。
そして静止画撮像モードであったら制御部３０はステップＳ１１５からＳ１２１に進み、静止画用設定操作画面を表示する。例えば図示する静止画用ＷＢ設定操作画面８１Ｓや、上述の静止画用Ｆ値／シャッタースピード設定操作画面８５Ｓ等の設定操作画面である。
またこの場合、背景にはライブビュー画像を表示させる。
【０１２５】
一方、現在、動画撮像モードであったら制御部３０はステップＳ１１６からＳ１２２に進み、動画用設定操作画面を表示する。例えば図示する動画用ＷＢ設定操作画面８１Ｍや、上述の動画用Ｆ値／シャッタースピード設定操作画面８５Ｍ等の設定操作画面である。
またこの場合、背景にはライブビュー画像を表示させる。
【０１２６】
カスタムキー１０９の操作によるものではなかった場合、制御部３０はステップＳ１１０からＳ１１１に進み、設定項目の選択操作がファンクションキー１１０によるファンクション画面８４からの操作によるものか否かを確認する。
ファンクション画面８４からの操作であった場合は、制御部３０はステップＳ１１１からＳ１１５，Ｓ１１６に進み、上述のカスタムキー１０９の操作の場合と同様に、現在の撮像モードを確認して、ステップＳ１２１又はＳ１２２に進む。
【０１２７】
設定項目の選択操作がファンクションキー１１０によるファンクション画面８４からの操作によるものでなかった場合は、制御部３０はステップＳ１１１からＳ１１２に進み、設定項目の選択操作が設定メニュー画面上の操作によるものか否かを確認する。
メニュー操作であった場合は、制御部３０はステップＳ１１３，Ｓ１１４で、カメラタブ５０、６０での操作によるものか、動画タブ７０での操作によるものかを判別する。
以上のいずれの操作にも該当しない場合は、何らかのエラーとする。
【０１２８】
設定項目の選択操作がカメラタブ５０，６０からの操作であった場合は、制御部３０はステップＳ１１３からＳ１１７，Ｓ１１８に進み、現在の撮像モードを確認する。
そして静止画撮像モードであったら制御部３０はステップＳ１１７からＳ１２１に進み、静止画用設定操作画面を表示する。
一方、現在、動画撮像モードであったら制御部３０はステップＳ１１８からＳ１２３に進み、静止画用設定操作画面を表示する。例えば図示する静止画用ＷＢ設定操作画面８１ＳＢのような、現在とは異なる撮像モードの操作を明示する設定操作画面である。
この場合、背景は黒画像とし、また静止画専用設定アイコン１２３を表示させる。
【０１２９】
設定項目の選択操作が動画タブ７０からの操作であった場合は、制御部３０はステップＳ１１４からＳ１１９，Ｓ１２０に進み、現在の撮像モードを確認する。
そして動画撮像モードであったら制御部３０はステップＳ１２０からＳ１２２に進み、動画用設定操作画面を表示する。
一方、現在、静止画撮像モードであったら制御部３０はステップＳ１１９からＳ１２４に進み、動画用設定操作画面を表示する。例えば図示する動画用ＷＢ設定操作画面８１ＭＢのような、現在とは異なる撮像モードの操作を明示する設定操作画面である。
この場合、背景は黒画像とし、また動画専用設定アイコン１２２を表示させる。
【０１３０】
制御部３０は以上のように設定項目の設定操作画面の表示制御を行う。
ユーザは設定操作画面上で望みの設定変更操作を行うことができる。このようなユーザの操作に対応して制御部３０は図１５の処理を行う。
図１３のステップＳ１０８で設定操作画面を表示させた場合、制御部３０は図１５のステップＳ１３０でユーザの操作に対応した表示制御を行う。例えばユーザが設定値を選択する操作を行うことに応じて設定値を変化させるような表示制御を行う。
そしてユーザが設定値を決定する操作を行ったら、ステップＳ１３１で設定操作終了とし、ステップＳ１３２で設定値が変更されたか否かを確認する。
【０１３１】
ユーザが特に設定を変更せずに終了させた場合は、制御部３０はそのまま設定操作に関する処理を終了する。
ユーザが設定値を変更する操作を行った場合、制御部３０はステップＳ１３３で、当該処理対象の設定項目について共通設定としての設定値を更新する。例えばフラッシュメモリ３４において当該設定項目の共通設定としての設定値を更新する。
【０１３２】
図１４のステップＳ１２１又はＳ１２３で設定操作画面を表示させた場合、制御部３０は図１５のステップＳ１４０でユーザの操作に対応した表示制御を行う。例えばユーザが設定値を選択する操作を行うことに応じて設定値を変化させるような表示制御を行う。
そしてユーザが設定値を決定する操作を行ったら、ステップＳ１４１で設定操作終了とし、ステップＳ１４２で設定値が変更されたか否かを確認する。
ユーザが特に設定を変更せずに終了させた場合は、制御部３０はそのまま設定操作に関する処理を終了する。
ユーザが設定値を変更する操作を行った場合、制御部３０はステップＳ１４３で、当該処理対象の設定項目について静止画撮像モードに対応する設定値を更新する。例えばフラッシュメモリ３４において当該設定項目の静止画撮像モードについての設定値を更新する。
【０１３３】
図１４のステップＳ１２２又はＳ１２４で設定操作画面を表示させた場合、制御部３０は図１５のステップＳ１５０でユーザの操作に対応した表示制御を同様に行う。
そしてユーザが設定値を決定する操作を行ったら、ステップＳ１５１で設定操作終了とし、ステップＳ１５２で設定値が変更されたか否かを確認する。
ユーザが特に設定を変更せずに終了させた場合は、制御部３０はそのまま設定操作に関する処理を終了する。
ユーザが設定値を変更する操作を行った場合、制御部３０はステップＳ１５３で、当該処理対象の設定項目について動画撮像モードに対応する設定値を更新する。例えばフラッシュメモリ３４において当該設定項目の動画撮像モードについての設定値を更新する。
【０１３４】
以上の処理を行うことで、各種設定項目について、共通設定／独立設定に応じた表示や、それによる設定操作画面に対するユーザの設定変更操作に応じた設定値の管理が適切に行われることになる。
【０１３５】
＜５．プログラム及びコンピュータ装置への適用＞
ここまで撮像装置１０の実施の形態を説明してきたが、上述した表示制御や設定値の管理は、ソフトウエアにより各種の情報処理装置２００で実行させることもできる。
即ち撮像装置１０とは別体の情報処理装置２００において、各種の設定項目の設定変更操作を行うことができるようにしたり、撮像装置１０とは別体の情報処理装置２００において撮像装置１０の設定項目の設定値を管理することができる。
そしてそのような設定情報を通信により撮像装置１０に供給するようにすることで、情報処理装置２００を用いての設定項目の操作なども可能となる。
【０１３６】
実施の形態のプログラムは、上述の実施の形態で示した図１３，図１４の処理を、例えばＣＰＵ、ＤＳＰ等、或いはこれらを含むデバイスとしての図１に示した情報処理装置２００に実行させるプログラムである。
即ち実施の形態のプログラムは、撮像装置における撮像に関連する設定項目のうち、複数の撮像モードについて共通して制御する共通設定とされた設定項目については、撮像モードによらず、前記複数の撮像モードについて共通する設定操作画面が表示されるように設定項目の操作を行う設定操作画面の表示態様を制御する処理を情報処理装置２００に実行させる。またプログラムは、撮像に関連する設定項目のうち、撮像モード毎に独立して制御する独立設定とされた設定項目については、撮像モードに応じて異なる設定操作画面が表示されるように設定操作画面の表示態様を制御する処理を情報処理装置２００に実行させる。
このようなプログラムにより、上述した表示制御を行う情報処理装置２００を実現できる。即ち撮像装置１０とは別体の情報処理装置２００において、以上の表示制御を実現することもできる。
【０１３７】
また実施の形態のプログラムは、上述の実施の形態で示した図１５の処理を情報処理装置２００に実行させるプログラムでもある。
即ち実施の形態のプログラムは、複数の撮像モードによる撮像に関連する設定項目について、操作対象とされた設定項目について共通設定が選択されている場合は、設定変更操作に応じて、前記複数の撮像モードについての共通の設定値の記憶を更新する処理を情報処理装置２００に実行させる。
またプログラムは、操作対象の設定項目について撮像モード毎の独立設定が選択されている場合は、操作対象の撮像モードについての設定変更操作に応じて、当該操作対象の撮像モードについての設定値の記憶を更新する処理を情報処理装置２００に実行させる。
このようなプログラムにより、上述した設定値の管理を行う情報処理装置２００を実現できる。即ち撮像装置１０とは別体の情報処理装置２００において、以上の設定管理制御を実現できる。
【０１３８】
このようなプログラムはコンピュータ装置等の機器に内蔵されている記録媒体としてのＨＤＤや、ＣＰＵを有するマイクロコンピュータ内のＲＯＭ等に予め記録しておくことができる。
あるいはまた、フレキシブルディスク、ＣＤ−ＲＯＭ(Compact Disc Read Only Memory)、ＭＯ(Magnet optical)ディスク、ＤＶＤ(Digital Versatile Disc)、ブルーレイディスク（Blu-ray Disc（登録商標））、磁気ディスク、半導体メモリ、メモリカードなどのリムーバブル記録媒体に、一時的あるいは永続的に格納（記録）しておくことができる。このようなリムーバブル記録媒体は、いわゆるパッケージソフトウェアとして提供することができる。
また、このようなプログラムは、リムーバブル記録媒体からパーソナルコンピュータ等にインストールする他、ダウンロードサイトから、ＬＡＮ(Local Area Network)、インターネットなどのネットワークを介してダウンロードすることもできる。
【０１３９】
またこのようなプログラムによれば、実施の形態の情報処理装置２００の広範な提供に適している。例えばパーソナルコンピュータ、携帯型情報処理装置、携帯電話機、ゲーム機器、ビデオ機器、ＰＤＡ（Personal Digital Assistant）等にプログラムをダウンロードすることで、当該パーソナルコンピュータ等を、本開示の情報処理装置２００とすることができる。
例えば、図１６に示されるようなコンピュータ装置１７０において、情報処理装置２００を実現できる。
【０１４０】
図１６において、コンピュータ装置１７０のＣＰＵ１７１は、ＲＯＭ１７２に記憶されているプログラム、または記憶部１７８からＲＡＭ１７３にロードされたプログラムに従って各種の処理を実行する。ＲＡＭ１７３にはまた、ＣＰＵ１７１が各種の処理を実行する上において必要なデータなども適宜記憶される。
ＣＰＵ１７１、ＲＯＭ１７２、およびＲＡＭ１７３は、バス１７４を介して相互に接続されている。このバス１７４にはまた、入出力インタフェース１７５も接続されている。
【０１４１】
入出力インタフェース１７５には、キーボード、マウスなどよりなる入力部１７６、ＬＣＤ或いは有機ＥＬパネルなどよりなるディスプレイ、並びにスピーカなどよりなる出力部１７７、ハードディスクなどより構成される記憶部１７８、モデムなどより構成される通信部１７９が接続されている。通信部１７９は、インターネットを含むネットワークを介しての通信処理を行う。
【０１４２】
入出力インタフェース１７５にはまた、必要に応じてドライブ１８０が接続され、磁気ディスク、光ディスク、光磁気ディスク、或いは半導体メモリなどのリムーバブルメディア１８１が適宜装着され、それらから読み出されたコンピュータプログラムが、必要に応じて記憶部１７８にインストールされる。
上述した表示制御処理や設定値管理処理をソフトウエアにより実行させる場合には、そのソフトウエアを構成するプログラムが、ネットワークや記録媒体からインストールされる。
【０１４３】
この記録媒体は、ユーザにプログラムを配信するために配布される、プログラムが記録されている磁気ディスク、光ディスク、光磁気ディスク、若しくは半導体メモリなどよりなるリムーバブルメディア１８１により構成される。或いは、装置本体に予め組み込まれた状態でユーザに配信される、プログラムが記録されているＲＯＭ１７２や、記憶部１７８に含まれるハードディスクなどでも構成される。
【０１４４】
このようなコンピュータ装置１７０は、通信部１７９による受信動作や、或いはドライブ１８０（リムーバブルメディア１８１）もしくは記憶部１７８での再生動作等により、動画データを入力した際に、ＣＰＵ１７１がプログラムに基づいて、上述の図１３，図１４，図１５のような処理を実行することができる。
【０１４５】
＜６．まとめ及び変形例＞
以上説明してきた本実施の形態では次のような効果が得られる。
実施の形態の撮像装置１０は、撮像に関連する設定項目を、複数の撮像モードについて共通して制御する共通設定とするか、撮像モード毎に独立して制御する独立設定とするかに応じて、設定項目の操作を行う設定操作画面の表示態様を制御する制御部３０（表示制御部３０ｃ）を備える。そして表示制御部３０ｃは、設定項目が共通設定の場合は、撮像モードによらず、複数の撮像モードについて共通する設定操作画面が表示されるように制御し、設定項目が独立設定の場合は、撮像モードに応じて異なる設定操作画面が表示されるように制御する。
つまり撮像装置１０の各種の設定項目について、複数の撮像モードにおいて共通設定と独立設定を切り換えることができるようにするとともに、共通設定の場合には撮像モードによっては設定操作画面の表示態様を変化させない。一方で独立設定の場合は、撮像モードによって設定操作画面の表示態様を変化させる。
このような本実施の形態では、まず撮像装置の各種の設定項目について、実施の形態における静止画撮像モードと動画撮像モードのような複数の撮像モードにおいて共通設定と独立設定を切り換えることができるようにすることで、ユーザによって、各撮像モードで設定変更を行う項目について、予め、それぞれに適した設定をしておくことができる。
例えばホワイトバランスについて独立設定とし、撮像モードに応じて設定値を選択することで、静止画撮像モードにしたら静止画用の設定（例えばオートホワイトバランス）となり、動画撮像モードにしたら動画用の設定（例えば太陽光）になるようにすることができる。
これにより例えば動画撮像と静止画撮像を切り換える際に、煩わしい設定変更は不要となり、非常に円滑に撮像を進めることができる。
【０１４６】
そして共通設定の場合には撮像モードによっては設定操作画面の表示態様を変化させない（例えばＷＢ設定操作画面８１）ことで、ユーザには共通設定であることが自然に認識できる。また独立設定の場合は、対象の撮像モードによって設定操作画面の表示態様を変化させる（例えば静止画用ＷＢ設定操作画面８１Ｓと動画用ＷＢ設定操作画面８１Ｍ）ことで、ユーザは独立設定の項目の設定操作を行うことを認識でき、適切な操作が可能となる。また独立設定操作がわかりやすいものともなる。
【０１４７】
なお実施の形態の撮像モードに応じた独立設定を可能とすることは、いわゆるカスタム設定の登録とは意味が異なる。
ここで言うカスタム設定とは、例えばユーザが、シャッタースピード、Ｆ値、ホワイトバランス等の１又は複数の任意の設定項目について、所定の値を設定し、それを登録しておくことができる機能である。例えば所定のボタン等にカスタム設定を割り振っておくことで、ユーザはワンタッチ操作で登録した設定を呼び出すことができる。このようにすることで、煩わしい設定変更を行わなくとも、その「カスタム設定」の状態に切り換えることができる。
ところがこれは、本実施の形態のような撮像モードに紐づけられた設定ではない。このため、次のような差異がある。
本実施の形態では通常の設定を撮像モードに割り付けるものであるため、撮像モードの切り換えに応じて、その撮像モードに応じた独立設定が発効することになる。カスタム設定は、そのような撮像モードに対応するものではない。
また実施の形態の設定は、あくまで通常の設定であるため、ある撮像モードにおいて或る設定を変更した場合、その変更が後まで有効である。例えば動画撮像モードでＦ値を変更した場合、その変更が、以降、動画撮像モードにおいて有効となる。つまり設定変更が行われると、次に設定変更が行われるまで有効となる。つまりいつでも任意に変更できつつ、その変更後の設定が撮像モードに紐づけられることになる。
一方でカスタム設定は、それを呼び出した後に設定変更をおこなっても、再登録操作が行われない限り、設定変更した内容はカスタム設定としては記憶されないため、次のカスタム設定の呼び出しの際には反映されない。カスタム設定は、あくまで特定の設定を記憶しておくことに適している。
このように本実施の形態の撮像モード毎の独立設定は、カスタム設定とは異なるものであり、カスタム設定とは異なる使い勝手を提供できる。そして特には、静止画撮像と動画撮像の切替を行う機会においては、非常に操作を効率化できる機能となる。
【０１４８】
実施の形態の撮像装置１０では制御部３０は、各設定項目について、共通設定とするか独立設定とするかを選択できる選択操作画面（動画独立設定項目画面７１）が表示されるように制御するようにした。
複数の撮像モードについて共通に存在する設定項目は、共通設定でもよいし独立設定でもよい。そこでそれらの項目を例えば一覧表示などとして表示させ、ユーザが各項目について共通設定と独立設定目を選択できるようにする。
これによりユーザの個々の使用態様に応じた共通設定／独立設定の選択が可能になる。例えばユーザは、動画撮像モードと静止画撮像モードとで設定を切り換える項目を、独立設定の項目とすればよい。
動画撮像モードと静止画撮像モードとで設定変更を行う項目を独立設定とすることで、ユーザは撮像モード切替時に設定変更操作を行わなくてもよいものとできる。
一方、特に設定変更を必要としない項目については共通設定としておくことで、撮像モード毎に別々に設定変更操作をする必要がないため、これも操作性を向上できることになる。
なお実施の形態では、初期状態では各設定項目は共通設定としていることとした。このようにしておくことで撮像装置１０は動画タブ７０が設けられているが従前の機種と同様の使い勝手で使用できる。従ってユーザにとって操作性がよいものとなる。
【０１４９】
実施の形態では制御部３０は、設定項目を表示する設定メニュー画面において、共通設定か独立設定かを示す表示が行われるようにした。
例えば図７の例では、動画タブ７０におけるホワイトバランスの設定項目について動画専用設定アイコン１２０が表示されるようにして、動画撮像モードに対応する設定であることが明示されるようにした。
独立設定の項目については図８のように、カメラタブ５０において静止画専用設定アイコン１２１が表示されるようにしてもよい。
これらのように設定メニュー画面上で共通設定／独立設定がわかるようにすることで、ユーザに対して理解しやすい設定項目メニューを提供できる。
【０１５０】
実施の形態では制御部３０は、少なくとも独立設定とされている設定項目の設定操作画面を表示させる場合に、対応する撮像モードを区別する表示が行われるように制御するものとした。
図７の例では、動画用ＷＢ設定操作画面８１Ｍに動画専用設定アイコン１２０が表示されるようにして、静止画用ＷＢ設定操作画面８１Ｓと区別できるようにした。
また図８の例では、動画用ＷＢ設定操作画面８１Ｍに動画専用設定アイコン１２０が表示され、静止画用ＷＢ設定操作画面８１Ｓに静止画専用設定アイコン１２１が表示されて区別できるようにした。
これらのように識別表示を加えることで、ユーザは、設定操作画面において、どの撮像モードについての設定操作を行っているかを明確にわかるようになり、操作の混乱を避けることができる。
【０１５１】
実施の形態では制御部３０は、撮像により生成される画面の表示（例えばライブビュー画像表示）がおこなわれているときに設定項目の変更に関する操作が行われた場合、対象の設定項目が共通設定とされているか独立設定とされているかにより、撮像により生成される画面の表示が異なる表示態様となるようにした。
例えば図７等で説明したようにライブビューを表示している状態から、各種の操作により設定項目の設定操作画面を呼び出すことができる。この場合に、指定された設定項目が共通設定か独立設定かに応じて表示態様を変えるようにする。
これにより、ユーザは設定操作画面において共通設定／独立設定を理解できる状態で所望の設定変更操作を行うことができる。
例えば図７の例では、動画用ＷＢ設定操作画面８１Ｍに動画専用設定アイコン１２０が表示されることで、静止画用ＷＢ設定操作画面８１Ｓと区別できるようにした。
また図８の例では、動画用ＷＢ設定操作画面８１Ｍに動画専用設定アイコン１２０が表示され、静止画用ＷＢ設定操作画面８１Ｓに静止画専用設定アイコン１２１が表示されて区別できるようにした。
一方で共通設定の場合は、図６のように共通の表示態様となる。
例えばカスタムキーによる遷移やファンクション操作による遷移の場合も含めて、このように共通設定／独立設定に応じた表示が行われることで、ユーザに設定操作の内容（共通設定か独立設定か）を混乱させないようにすることができる。
【０１５２】
実施の形態の制御部３０は、独立設定とされた設定項目について、当該設定項目についての一の撮像モードの設定操作を指示する操作が、当該一の撮像モードであるときに行われた場合と、当該設定項目についての一の撮像モードの設定操作を指示する操作が、他の撮像モードであるときに行われた場合とで、設定操作画面が異なる表示態様となるようにする制御を行うようにした。
例えば図７の例では、現在の撮像モードとは異なる撮像モードについての設定操作画面（８１ＳＢ、８１ＭＢ）では、ライブビュー表示を行わず、また動画専用設定アイコン１２２又は静止画専用設定アイコン１２３が大きく表示されるようにした。
これにより、ユーザは現在の撮像モードについて設定操作を行っているのか、現在の撮像モードではない撮像モードについて設定操作を行っているかをはっきり理解できる。これにより操作の混乱を防ぐことができる。
特に設定操作画面（８１ＳＢ、８１ＭＢ）においてライブビューを止めて背景を例えば黒とすることは、現在の撮像モードではないことの強力なアピールになるとともに、動画専用設定アイコン１２２又は静止画専用設定アイコン１２３を大きく表示させることで、設定変更を行う撮像モードを明確に知らせることができる。
【０１５３】
実施の形態の制御部３０は、設定メニュー画面として、第１の撮像モードに対応する設定項目を含む第１タブ（例えばカメラタブ５０，６０）と、第２の撮像モードに対応する設定項目を含む第２タブ（例えば動画タブ７０）と、を少なくとも表示させるようにした。
つまり第１の撮像モードに対応する設定項目と、第２の撮像モードに対応する設定項目が、別のタブ（カメラタブ５０，６０と動画タブ７０）により表示されるようにする。
これにより撮像モード毎の設定項目がわかりやすくメニュー上に提供されることになる。
特に実施の形態のカメラタブ５０，６０と動画タブ７０のように撮像モードに対応したタブを設けることで、使用性がよい。つまりユーザは、静止画撮像用の設定項目はカメラタブ５０，６０を探せばよく、動画撮像用の設定項目は動画タブ７０を探せばよいと理解できる。
また撮像装置１０のユーザとしては、静止画撮像でしか使用しない人や、動画撮像でしか使用しない人もいる。静止画撮像でしか使用しない人はカメラタブ５０のみを探せばよく、動画撮像でしか使用しない人は動画タブ７０のみを探せばよい。このため設定項目の検索性もよくなり、使用性がよいものとなる。
【０１５４】
実施の形態の制御部３０は、第１タブと第２タブの両方に含まれる設定項目の操作が指示された場合において、当該設定項目が共通設定とされている場合は、撮像モードによらず、複数の撮像モードについて共通する設定操作画面が表示されるように制御し、当該設定項目が独立設定とされる場合は、撮像モードに応じて異なる設定操作画面が表示されるように制御するようにした。
例えば静止画撮像モードに対応する設定項目と、動画撮像モードに対応する設定項目として、同じ設定項目が、別のタブ（カメラタブ５０，６０と動画タブ７０）に含まれている。選択された設定項目が共通設定の場合は、いずれのタブから設定項目を選択しても、同じ設定操作画面に遷移する。
選択された設定項目が独立設定の場合は、カメラタブ５０，６０の設定項目が選択された場合は静止画撮像モードに応じた設定操作画面に遷移し、動画タブ７０の設定項目が選択された場合は動画撮像モードに応じた設定操作画面に遷移する。
このように撮像モード毎にタブが用意されていることで、設定項目の設定操作画面の遷移もわかりやすいものとなる。
例えばホワイトバランスが共通設定の場合、カメラタブ５０、動画タブ７０のいずれでホワイトバランスの設定項目が選択された場合でも、共通のＷＢ設定画面８１に遷移する。従って、ユーザは特にタブ或いは撮像モードを意識することなく操作をすることができる。一方、独立設定の場合は、カメラタブ５０でホワイトバランスの設定項目が選択された場合、静止画用ＷＢ設定操作画面８１Ｓ（又は８１ＳＢ）に遷移する。また動画タブ７０でホワイトバランスの設定項目が選択された場合、動画用ＷＢ設定操作画面８１Ｍ（又は８１ＭＢ）に遷移する。従って、ユーザはタブによって静止画用／動画用の設定を把握しながら操作を行うことができ、操作内容の混乱もなく、操作性のよいものとなる。
【０１５５】
実施の形態の制御部３０は、少なくとも第１タブと第２タブの両方に含まれる設定項目であって、独立設定とされた設定項目については、第１タブにおける当該設定項目と、第２タブにおける当該設定項目に対して、第１撮像モードに対応することと第２撮像モードに対応することを区別する表示を行うようにした。
図７の例では、動画タブ７０におけるホワイトバランスの設定項目について動画専用設定アイコン１２０が表示されるようにして、動画撮像モードに対応する設定であることが明示されるようにした。
図８の例では、カメラタブ５０においてホワイトバランスの設定項目について静止画専用設定アイコン１２１が表示されるようにもした。
これらのようにアイコン表示を加えることで、ユーザは、各タブに表示される設定項目について、独立設定であることや、対応する撮像モードを把握できる。これにより操作がわかりやすいものとなる。また設定項目についての共通設定／独立設定がわかりやすいメニューが提供されることになる。
【０１５６】
実施の形態の制御部３０は、少なくとも第１タブと第２タブの両方に含まれる設定項目であって、独立設定とされた設定項目について、第１撮像モードであるときに第２タブにおける当該設定項目が指定された場合と、第２撮像モードであるときに第２タブにおける当該設定項目が指定された場合とで、異なる表示態様とする制御を行うようにした。
例えば図７の例では、異なる撮像モードの設定操作画面（８１ＳＢ、８１ＭＢ）では、ライブビュー表示を行わず、また動画専用設定アイコン１２２又は静止画専用設定アイコン１２３が大きく表示されるようにした。
これにより、ユーザは現在の撮像モードについて設定操作を行っているのか、現在の撮像モードではない撮像モードについて設定操作を行っているかをはっきり理解できる。これにより操作の混乱を防ぐことができる。
【０１５７】
実施の形態の撮像装置１０の複数の撮像モードには、静止画撮像モードと動画撮像モードが含まれるものとした。
即ち各種の設定項目については、静止画撮像モードと動画撮像モードにおいて共通設定と独立設定を切り換えることができるようにする。
撮像装置の各種の設定項目について、静止画撮像モードと動画撮像モードにおいて共通設定と独立設定を切り換えることができるようにすることで、ユーザによって、静止画撮像時と動画撮像時で設定変更を行う項目について、予め、それぞれに適した設定をしておくことができる。これにより例えば動画撮像と静止画撮像を切り換える際に、煩わしい設定変更は不要となり、非常に円滑に撮像を進めることができる。
【０１５８】
なお、独立設定を適用する撮像モードとしては、静止画撮像モードと動画撮像モードに限られない。すなわち、独立設定を適用する撮像モードが静止画撮像に関わる複数の撮像モードの場合、撮像装置１０は動画撮像モードを有していなくてもよく、逆に動画撮像に関わる複数の撮像モードの場合、撮像装置１０は静止画撮像モードを有していない場合もありうる。
撮像モードとしては、パノラマ撮像モード、ハイフレームレート動画撮像モード、連写モード、長時間露光撮像モードなどもあり、各種の設定項目に関しては、これらの撮像モードに対応する独立設定を適用することもできる。
またさらに、撮像モードとして次のようなモードがある。
・オートモード：自動的に適切だと判断した値で設定され、被写体や環境を選ばずに、手軽に撮像できるモード。
・プログラムオートモード： 露出（シャッタースピードと絞り）は自動設定するが、その他の設定は自分で調整できるモード。
・絞り優先モード：背景をぼかしたいときなど、絞り値を設定して撮像するモード。
・シャッタースピード優先モード：動きの速いものを撮るときなど、シャッタースピードを設定して撮像するモード。
・マニュアル露出モード： 露出（シャッタースピードと絞り）を調節して、好みの露出で撮像するモード。
・登録呼び出しモード：あらかじめ登録しておいた、よく使うモードや数値の設定を呼び出して撮像するモード。
・動画／スロー＆クイックモーションモード：動画撮像やスローモーション／クイックモーション撮像の露出モードを設定して、動画を撮像できるモード。
・スイングパノラマモード：画像を合成してパノラマ画像を撮像できるモード。
・シーンセレクションモード：撮りたい被写体や環境に合ったモードを選ぶと、被写体に適した設定で撮像できるモード。
これらのモードにおいて、各種の設定項目に関し、共通設定／独立設定を適用できるようにし、実施の形態の表示制御や設定値管理を行うようにすることもできる。
上記のプログラムオートモード、絞り優先モード、シャッタースピード優先モード、マニュアル露出モードなどは動画にも適用できる。これらの動画撮像モードについても本実施の形態の技術を適用できる。
【０１５９】
実施の形態では、共通設定と独立設定が選択できる設定項目として、撮像により取得される撮像画像に影響を与える設定項目の例を挙げた。
これらの撮像画像に影響を与える設定に関しては、撮像モードによって切り換えられる機会が多いため、独立設定が選択可能とされると便利なものとなる。
また共通設定と独立設定が選択できる設定項目として、撮像により生成される画面の表示に影響を与える設定項目の例を挙げた。
これらの撮像画像の表示に影響を与える設定についても、撮像モードによって切り換えられる機会が多いため、独立設定が選択可能とされると便利なものとなる。
また共通設定と独立設定が選択できる設定項目として、撮像操作に関する設定項目の例を挙げた。
これらの撮像操作に関する設定について独立設定ができると、撮像モードに応じて異なる操作態様を呼び出すことができるようになるため、操作性を大きく向上できる可能性がある。
【０１６０】
実施の形態の撮像装置１０は、撮像に関連する設定項目について、複数の撮像モードについて共通して制御する共通設定として記憶するか、撮像モード毎に独立して制御する独立設定として記憶するか、を選択的に実行できる制御部３０（設定管理部３０ｂ）を備えるようにした。
設定管理部３０ｂは、操作対象の設定項目について共通設定が選択されている場合は、設定変更操作に応じて、複数の撮像モードについての共通の設定値の記憶を更新する。また操作対象の設定項目について撮像モード毎の独立設定が選択されている場合は、操作対象の撮像モードについての設定変更操作に応じて、当該操作対象の撮像モードについての設定値の記憶を更新する。
これにより、撮像装置１０の各種の設定項目について、実施の形態における静止画撮像モードと動画撮像モードのような複数の撮像モードにおいて共通設定と独立設定が選択される場合でも、適切にその設定情報を管理できる。
【０１６１】
本実施の形態技術は実施の形態の例に限らずさらに多様な変形例が考えられる。
上記例では、各画面においてアイコン（動画専用設定アイコン１２０、１２２、静止画専用設定アイコン１２１、１２３）や背景画像（例えばライブビュー画像や黒バック等）により表示態様を異なるようにする例を挙げたが、もちろんこれに限られず、表示態様を異なるようにする例は各種考えられる。
例えば表示態様を異なるようにする具体的な手法としては、各種のアイコンやキャラクタ画像の付加、画面の色合い、ハイライトやぼかしなどの画像効果、点滅表示など、多様に想定される。
【０１６２】
また上記例では、設定項目についてユーザが共通設定／独立設定を選択できるようにしたが、学習機能を設け、ある程度自動的に独立設定を選択するような処理も考えられる。
例えばユーザが静止画撮像モードの場合と動画撮像モードの場合で設定変更を行った場合に、制御部はその設定項目と設定値を記憶しておく。また制御部はその際の静止画と動画をそれぞれ解析し、どのようなシーンを撮像したのかも判定する。
すると、例えば同一種類のシーンについて、静止画と動画で設定変更を行っている設定項目を検出することができる。
そのような場合、制御部は当該設定項目を自動的に独立設定とし、静止画撮像モードと動画撮像モードでの設定値をそれぞれ独立設定の設定値として登録することも考えられる。
【０１６３】
また、本実施の形態では１台の撮像装置１０に関して複数の撮像モードに関する設定項目についての共通設定／独立設定に応じた制御を例示したが、これに限定されない。
例えば、複数の撮像装置の撮像に関する設定項目について、複数の撮像装置で共通に設定するか、複数の撮像装置のうち撮像装置毎に独立して設定するかの共通設定／独立設定のいずれかに応じて制御する場合についても本技術は適用できる。
また、撮像に関する設定項目にも限定されず、他の設定項目（例えば、フォントのサイズや書式や色）を、例えば携帯に搭載される複数のアプリケーション間で共通に設定するか、複数のアプリケーション毎に独立して設定するかの共通設定／独立設定のいずれかに応じて制御する場合にも本技術は適用できる。
【０１６４】
なお、本明細書に記載された効果はあくまでも例示であって限定されるものではなく、また他の効果があってもよい。
【０１６５】
なお本技術は以下のような構成も採ることができる。
（１）
撮像に関連する設定項目を、複数の撮像モードについて共通して制御する共通設定とするか、撮像モード毎に独立して制御する独立設定とするかに応じて、設定項目の操作を行う設定操作画面の表示態様を制御する表示制御部を備え、
前記表示制御部は、
設定項目が前記共通設定の場合は、撮像モードによらず、前記複数の撮像モードについて共通する設定操作画面が表示されるように制御し、
設定項目が前記独立設定の場合は、撮像モードに応じて異なる設定操作画面が表示されるように制御する
撮像装置。
（２）
前記表示制御部は、
各設定項目について、前記共通設定とするか前記独立設定とするかを選択できる選択操作画面が表示されるように制御する
上記（１）に記載の撮像装置。
（３）
前記表示制御部は、
設定項目を表示する設定メニュー画面において、前記共通設定か前記独立設定かを示す表示が行われるように制御する
上記（１）又は（２）に記載の撮像装置。
（４）
前記表示制御部は、
少なくとも前記独立設定とされている設定項目の設定操作画面を表示させる場合に、対応する撮像モードを区別する表示が行われるように制御する
上記（１）乃至（３）のいずれかに記載の撮像装置。
（５）
前記表示制御部は、
撮像により生成される画面の表示がおこなわれているときに設定項目に関する操作が行われた場合、対象の設定項目が前記共通設定とされているか前記独立設定とされているかにより、前記撮像により生成される画面の表示が異なる表示態様となるようにする制御を行う
上記（１）乃至（４）のいずれかに記載の撮像装置。
（６）
前記表示制御部は、
前記独立設定とされた設定項目について、
当該設定項目についての一の撮像モードの設定操作を指示する操作が、当該一の撮像モードであるときに行われた場合と、
当該設定項目についての一の撮像モードの設定操作を指示する操作が、他の撮像モードであるときに行われた場合とで、
設定操作画面が異なる表示態様となるようにする制御を行う
上記（１）乃至（５）のいずれかに記載の撮像装置。
（７）
前記表示制御部は、
設定メニュー画面として、第１の撮像モードに対応する設定項目を含む第１タブと、第２の撮像モードに対応する設定項目を含む第２タブと、を少なくとも表示させる
上記（１）乃至（６）のいずれかに記載の撮像装置。
（８）
前記表示制御部は、
前記第１タブと前記第２タブの両方に含まれる設定項目の操作が指示された場合において、
当該設定項目が前記共通設定とされている場合は、撮像モードによらず、前記複数の撮像モードについて共通する設定操作画面が表示されるように制御し、
当該設定項目が前記独立設定とされる場合は、撮像モードに応じて異なる設定操作画面が表示されるように制御する
上記（７）に記載の撮像装置。
（９）
前記表示制御部は、
少なくとも前記第１タブと前記第２タブの両方に含まれる設定項目であって、前記独立設定とされた設定項目については、
前記第１タブにおける当該設定項目と、前記第２タブにおける当該設定項目に対して、前記第１の撮像モードに対応することと前記第２の撮像モードに対応することを区別する表示を行うようにする
上記（７）又は（８）に記載の撮像装置。
（１０）
前記表示制御部は、
少なくとも前記第１タブと前記第２タブの両方に含まれる設定項目であって、前記独立設定とされた設定項目について、
前記第１の撮像モードであるときに前記第２タブにおける当該設定項目が指定された場合と、前記第２の撮像モードであるときに前記第２タブにおける当該設定項目が指定された場合とで、異なる表示態様とする制御を行う
上記（７）乃至（９）のいずれかに記載の撮像装置。
（１１）
前記複数の撮像モードには、静止画撮像モードと動画撮像モードが含まれる
上記（１）乃至（１０）のいずれかに記載の撮像装置。
（１２）
前記共通設定と前記独立設定が選択できる設定項目として、撮像により取得される撮像画像に影響を与える設定項目が含まれる
上記（１）乃至（１１）のいずれかに記載の撮像装置。
（１３）
前記共通設定と前記独立設定が選択できる設定項目として、撮像により生成される画面の表示に影響を与える設定項目が含まれる
上記（１）乃至（１２）のいずれかに記載の撮像装置。
（１４）
前記共通設定と前記独立設定が選択できる設定項目として、撮像操作に関する設定項目が含まれる
上記（１）乃至（１３）のいずれかに記載の撮像装置。
（１５）
撮像に関連する設定項目について、複数の撮像モードについて共通して制御する共通設定として記憶するか、撮像モード毎に独立して制御する独立設定として記憶するか、を選択的に実行できる設定管理部を備え、
前記設定管理部は、
操作対象の設定項目について前記共通設定が選択されている場合は、設定変更操作に応じて、前記複数の撮像モードについての共通の設定値の記憶を更新し、
操作対象の設定項目について前記独立設定が選択されている場合は、操作対象の撮像モードについての設定変更操作に応じて、当該操作対象の撮像モードについての設定値の記憶を更新する
撮像装置。
（１６）
撮像に関連する設定項目のうち、複数の撮像モードについて共通して制御する共通設定とされた設定項目については、撮像モードによらず、前記複数の撮像モードについて共通する設定操作画面が表示されるように設定項目の操作を行う設定操作画面の表示態様を制御し、
撮像に関連する設定項目のうち、撮像モード毎に独立して制御する独立設定とされた設定項目については、撮像モードに応じて異なる設定操作画面が表示されるように設定操作画面の表示態様を制御する
撮像装置の表示制御方法。
（１７）
撮像装置における撮像に関連する設定項目のうち、複数の撮像モードについて共通して制御する共通設定とされた設定項目については、撮像モードによらず、前記複数の撮像モードについて共通する設定操作画面が表示されるように設定項目の操作を行う設定操作画面の表示態様を制御する処理と、
撮像に関連する設定項目のうち、撮像モード毎に独立して制御する独立設定とされた設定項目については、撮像モードに応じて異なる設定操作画面が表示されるように設定操作画面の表示態様を制御する処理と、
を情報処理装置に実行させるプログラム。
【符号の説明】
【０１６６】
１…筐体、２…表示パネル、３…ビューファインダー、４…レンズ鏡筒、１０…撮像装置、１１…光学系、１２…イメージャ、１３…光学系駆動部、１４…センサ部、１５…記憶部、１６…通信部、２０…デジタル信号処理部、２１…前処理部、２２…同時化部、２３…ＹＣ生成部、２４…解像度変換部、２５…コーデック部、２６…表示データ生成部、２７…画像解析部、２８…フォーカス処理部、３０…制御部、３０ａ…撮像制御部、３０ｂ…設定管理部、３０ｃ…表示制御部、３０ｄ…記録再生制御部、３０ｅ…通信制御部、３０ｆ…入力検知部、３１…ＣＰＵ、３２…ＲＯＭ、３３…ＲＡＭ、３４…フラッシュメモリ、３５…操作部、３６…表示部、５０，６０…カメラタブ、７０…動画タブ、７１…動画独立設定項目画面、８１…ＷＢ設定操作画面、８１Ｓ、８１ＳＢ…静止画用ＷＢ設定操作画面、８１Ｍ、８１ＭＢ…動画用ＷＢ設定操作画面、８２…静止画撮像モード画面、８３…動画撮像モード画、８４…ファンクション画面、８５…Ｆ値／シャッタースピード設定画面、８５Ｓ…静止画用Ｆ値／シャッタースピード設定画面、８５Ｍ…動画用Ｆ値／シャッタースピード設定画面、１２０，１２２…動画専用設定アイコン、１２１，１２３…静止画専用設定アイコン
【図１】
2019187447.tif 000003
【図２】
2019187447.tif 000004
【図３】
2019187447.tif 000005
【図４】
2019187447.tif 000006
【図５】
2019187447.tif 000007
【図６】
2019187447.tif 000008
【図７】
2019187447.tif 000009
【図８】
2019187447.tif 000010
【図９】
2019187447.tif 000011
【図１０】
2019187447.tif 000012
【図１１】
2019187447.tif 000013
【図１２】
2019187447.tif 000014
【図１３】
2019187447.tif 000015
【図１４】
2019187447.tif 000016
【図１５】
2019187447.tif 000017
【図１６】
2019187447.tif 000018
【国際調査報告】
2019187447.tif 000019
2019187447.tif 000020